(57)【特許請求の範囲】
【請求項１】
変動表示を行ない、遊技者にとって有利な有利状態に制御可能な遊技機であって、
前記変動表示の実行中に、予告演出を繰返し実行可能な予告演出実行手段と、
前記予告演出実行手段が前記変動表示の実行中に繰返し実行した前記予告演出の回数が第１回数の場合に第１の指標情報を表示し、前記第１回数よりも多い第２回数の場合に第２の指標情報を表示する指標情報表示手段と、
前記変動表示の実行中に、前記予告演出とは異なる第１特定演出と第２特定演出とを含む特定演出を実行可能な特定演出実行手段とを備え、
前記予告演出実行手段は、前記有利状態に制御される場合は、されない場合と比べて高い割合で前記予告演出を前記第２回数繰返し実行可能であり、
前記特定演出実行手段は、前記有利状態に制御される場合は、されない場合と比べて高い割合で前記第２特定演出を実行可能であり、
前記特定演出実行手段が前記特定演出を実行するパターンは、前記第１特定演出を実行した後に前記第２特定演出を実行する第１パターンと、前記第１特定演出を実行することなく前記第２特定演出を実行する第２パターンとを含み、
前記指標情報表示手段は、
前記特定演出実行手段が前記第１特定演出を実行したときに第１の指標情報を表示可能とし、前記第２特定演出を実行したときに第２の指標情報を表示可能とし、
前記第１パターンと前記第２パターンのいずれにより前記特定演出が実行されたときでも、前記第２特定演出を実行したときに第２の指標情報を表示可能とし、
前記第１特定演出は、特定画像を表示する通常演出と、複数の部分画像を表示した後に当該複数の部分画像を合体させることで特定画像を表示する合体演出と、を含み、
前記通常演出または前記合体演出において前記特定画像を表示したときに第１の指標情報を表示し、
前記通常演出を実行するときと前記合体演出を実行するときとで前記有利状態に制御される期待度が異なる、
遊技機。
【発明の詳細な説明】
【技術分野】
【０００１】
本発明は、パチンコ遊技機等の遊技機に関し、特に、変動表示の表示結果が特定表示結果となったときに遊技者にとって有利な有利状態に制御可能な遊技機に関する。
【背景技術】
【０００２】
この種の遊技機として一般的に知られているものとしては、変動表示（可変表示ともいう）の表示結果が特定表示結果（大当り表示結果）となったときに遊技者にとって有利な有利状態（大当り遊技状態）に制御可能なものがあった。
【０００３】
このような遊技機においては、変動表示の実行中に繰返し実行した予告演出の回数を表示するものがあった（特許文献１）。
【先行技術文献】
【特許文献】
【０００４】
【特許文献１】特開２０１３−２０８４１１号公報
【発明の概要】
【発明が解決しようとする課題】
【０００５】
しかし、前述した特許文献１では、変動表示の実行中に繰返し実行した予告演出の実行回数が表示されるだけで演出効果に乏しく、遊技の興趣を十分に向上させることができなかった。
【０００６】
本発明は、かかる実情に鑑み考え出されたものであり、その目的は、変動表示中の演出効果を高め、遊技の興趣を向上させることができる遊技機を提供することである。
【課題を解決するための手段】
【０００７】
（Ａ）変動表示を行ない、遊技者にとって有利な有利状態に制御可能な遊技機であって、
前記変動表示の実行中に、予告演出を繰返し実行可能な予告演出実行手段と、
前記予告演出実行手段が前記変動表示の実行中に繰返し実行した前記予告演出の回数が第１回数の場合に第１の指標情報を表示し、前記第１回数よりも多い第２回数の場合に第２の指標情報を表示する指標情報表示手段と、
前記変動表示の実行中に、前記予告演出とは異なる第１特定演出と第２特定演出とを含む特定演出を実行可能な特定演出実行手段とを備え、
前記予告演出実行手段は、前記有利状態に制御される場合は、されない場合と比べて高い割合で前記予告演出を前記第２回数繰返し実行可能であり、
前記特定演出実行手段は、前記有利状態に制御される場合は、されない場合と比べて高い割合で前記第２特定演出を実行可能であり、
前記特定演出実行手段が前記特定演出を実行するパターンは、前記第１特定演出を実行した後に前記第２特定演出を実行する第１パターンと、前記第１特定演出を実行することなく前記第２特定演出を実行する第２パターンとを含み、
前記指標情報表示手段は、
前記特定演出実行手段が前記第１特定演出を実行したときに第１の指標情報を表示可能とし、前記第２特定演出を実行したときに第２の指標情報を表示可能とし、
前記第１パターンと前記第２パターンのいずれにより前記特定演出が実行されたときでも、前記第２特定演出を実行したときに第２の指標情報を表示可能とし、
前記第１特定演出は、特定画像を表示する通常演出と、複数の部分画像を表示した後に
当該複数の部分画像を合体させることで特定画像を表示する合体演出と、を含み、
前記通常演出または前記合体演出において前記特定画像を表示したときに第１の指標情報を表示し、
前記通常演出を実行するときと前記合体演出を実行するときとで前記有利状態に制御される期待度が異なる。
（１）  変動表示を行ない、遊技者にとって有利な有利状態（大当り遊技状態等）に制御可能な遊技機（パチンコ遊技機１等）であって、
前記変動表示の実行中に、予告演出（擬似連演出等）を繰返し実行可能な予告演出実行手段（演出制御用マイクロコンピュータ１００、図２１のＳ９１１等）と、
前記予告演出実行手段が前記変動表示の実行中に繰返し実行した前記予告演出の回数が第１回数の場合に第１の指標情報を表示し（図１６（ｃ）に示すように擬似連回数が１回のときに×１で示される第１の指標情報４３を表示する等）、前記第１回数よりも多い第２回数の場合に第２の指標情報を表示する（図１６（ｅ）に示すように擬似連回数が２回のときに×２で示される第２の指標情報４４を表示する等）指標情報表示手段（演出制御用マイクロコンピュータ１００、図２１のＳ９１１等）と、
前記変動表示の実行中に、前記予告演出とは異なる第１特定演出（図１６（ｈ）に白星１つ表示画像４５が表示される第１特定演出Ａ等）と第２特定演出（図１６（ｊ）に赤星１つ表示画像４６表示される第２特定演出等）とを含む特定演出を実行可能な特定演出実行手段（演出制御用マイクロコンピュータ１００、図２１のＳ９１１等）とを備え、
前記予告演出実行手段は、前記有利状態に制御される場合には、されない場合と比べて高い割合で前記予告演出を前記第２回数繰返し実行可能であり（図６に示すように、大当り時には、はずれ時よりも高い割合で擬似連回数１回よりも２回が選択されやすい、図２１のＳ９１１等）、
前記特定演出実行手段は、前記有利状態に制御される場合には、されない場合と比べて高い割合で前記第２特定演出を実行可能であり（図１９に示すように、大当り時には、はずれ時よりも高い割合で第１特定演出よりも第２特定演出が選択されやすい、図２１のＳ９１１等）、
前記指標情報表示手段は、前記特定演出実行手段が前記第１特定演出を実行したときに第１の指標情報を表示可能とし、前記第２特定演出を実行したときに第２の指標情報を表示可能とする（図１６（ｉ）に示すように、白星１つ表示で示される第１特定演出Ａが実行されたときは、×１で示される第１の指標情報４３を表示し、図１６（ｋ）に示すように、赤星１つ表示で示される第２特定演出が実行されたときは、×２で示される第２の指標情報４４を表示する等）。
【０００８】
このような構成によれば、予告演出とは異なる特定演出の実行時にも指標情報が表示されるので、変動表示中の演出効果を高め、遊技の興趣を向上させることができる。
【０００９】
（２）  前記（１）に記載の遊技機において、
１回の前記変動表示の実行中に前記予告演出と前記特定演出とが実行されることを制限する演出制御手段（演出制御用マイクロコンピュータ１００、図２０のＳ９０１に示すように、今回実行される変動表示が擬似連の変動パターンでない場合に特定演出が実行されるので、１回の変動表示の実行中に擬似連演出と特定演出とが実行されないように制御される等）をさらに備える。
【００１０】
このような構成によれば、１回の変動表示の実行中に予告演出と特定演出とが実行されることにより、遊技者がいずれの演出に基づく指標情報が表示されているか混乱してしまうことを防止することができる。
【００１１】
（３）  前記（１）または前記（２）に記載の遊技機において、
前記第１特定演出は、複数の所定演出（図１７に示すように、第１特定演出Ｂは、白半分星左表示画像４５ａと白半分星右表示画像４５ｂとが２つ表示されることで、第１特定演出Ａと同じ白星１つ表示画像４５が表示される等）から構成されている。
【００１２】
このような構成によれば、第１特定演出が、複数の所定演出から構成されているので、第１特定演出が実行されるときの演出が多彩になり、遊技の興趣が向上する。
【００１３】
（４）  前記（１）から（３）のいずれかの遊技機において、
前記特定演出実行手段は、前記変動表示の実行中において、前記第１特定演出を実行した後に前記第２特定演出を実行可能である（演出制御用マイクロコンピュータ１００、図１６（ｇ）〜（ｌ）に示すように、第１特定演出Ａを実行した後に、第２特定演出を実行可能である、図１９（Ｂ），（Ｄ）等）。
【００１４】
このような構成によれば、第１特定演出が実行された後に第２特定演出を実行しない場合と比べて、第１特定演出が実行されたときの遊技者の遊技の興趣の低下を防止することができる。
【００１５】
（５）  前記（４）の遊技機において、
前記有利状態に制御する有利状態制御手段（遊技制御用マイクロコンピュータ５６０、図１２のＳ６１，Ｓ７１、演出制御用マイクロコンピュータ１００、図２０のＳ９０２等）をさらに備え、
前記有利状態制御手段は、前記変動表示の実行中において、前記特定演出実行手段により前記第１特定演出が実行されずに前記第２特定演出が実行された場合と、前記第１特定演出が実行された後に前記第２特定演出が実行された場合とで、異なる割合で前記有利状態に制御する（図１９に示すように、第１特定演出Ａが実行されずに第２特定演出が実行された場合と、第１特定演出Ａが実行された後に第２特定演出が実行された場合とでは、第１特定演出Ａが実行された後に第２特定演出が実行された場合の方が大当りとなる割合が高いように制御される等）。
【００１６】
このような構成によれば、第１特定演出が実行された場合でも第２特定演出が実行されることへの期待感を持つことができ、第２特定演出が実行された場合には、有利状態に制御されることを期待できるので、遊技の興趣が向上する。
【図面の簡単な説明】
【００１７】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】大当り判定テーブルおよび大当り種別判定テーブルを示す説明図である。
【図６】変動パターンを決定するために用いる変動パターンテーブルを表形式で示す図である。
【図７】演出制御コマンドの内容の一例を示す説明図である。
【図８】遊技制御用マイクロコンピュータにおける保留記憶バッファの構成例を示す説明図である。
【図９】タイマ割込処理を示すフローチャートである。
【図１０】特別図柄プロセス処理を示すフローチャートである。
【図１１】始動口スイッチ通過処理を示すフローチャートである。
【図１２】特別図柄通常処理を示すフローチャートである。
【図１３】演出制御メイン処理を示すフローチャートである。
【図１４】演出制御プロセス処理を示すフローチャートである。
【図１５】変動表示中に実行される演出と指標情報との関係を示すタイミングチャートである。
【図１６】演出表示装置における擬似連演出および特定演出の表示例を示す説明図である。
【図１７】演出表示装置における特定演出の表示例を示す説明図である。
【図１８】演出図柄変動開始処理を示すフローチャートである。
【図１９】指標情報決定テーブルを示す説明図である。
【図２０】演出設定処理の一部を構成する処理を示すフローチャートである。
【図２１】変形例における演出表示装置の表示例を示す説明図である。
【発明を実施するための形態】
【００１８】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、変動表示の表示結果が特定表示結果となったときに遊技者にとって有利な有利状態に制御可能な遊技機であれば、どのような遊技機であってもよい。
【００１９】
〔第１実施形態〕
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００２０】
パチンコ遊技機１は、遊技媒体としての遊技球を遊技領域７に打込んで遊技が行なわれる遊技機である。パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２１】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。
【００２２】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００２３】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられていればよい。図１に示す構成例では、プッシュボタン１２０とスティックコントローラ１２２の取付位置が、上皿及び下皿の中央部分において上下の位置関係にある。これに対して、上下の位置関係を保ったまま、プッシュボタン１２０及びスティックコントローラ１２２の取付位置を、上皿及び下皿において左右のいずれかに寄せた位置としてもよい。あるいは、プッシュボタン１２０とスティックコントローラ１２２との取付位置が上下の位置関係にはなく、たとえば左右の位置関係にあるものとしてもよい。
【００２４】
なお、本実施の形態では、遊技者が操作可能な操作手段の一例として、プッシュボタン１２０と、トリガボタン１２５を有するスティックコントローラ１２２とを設けた例を示した。しかし、これに限らず、操作手段としては、プッシュボタン１２０とスティックコントローラ１２２とのいずれか１つのみを設けてもよい。また、操作手段としては、レバースイッチ、および、ジョグダイヤル等のその他の操作手段を設けてもよい。
【００２５】
遊技領域７の中央付近には、各々を識別可能な複数種類の識別情報としての演出図柄を変動表示（可変表示ともいう）可能な演出表示装置９が設けられている。遊技領域７における演出表示装置９の右側方には、各々を識別可能な複数種類の識別情報としての第１特別図柄を変動表示する第１特別図柄表示器８ａと、各々を識別可能な複数種類の識別情報としての第２特別図柄を変動表示する第２特別図柄表示器８ｂとが設けられている。
【００２６】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示等の各種画像を表示する表示領域が設けられる。このような表示領域には、たとえば「左」，「中」，「右」の３つの装飾用（演出用）の演出図柄を変動表示する図柄表示領域が形成される。
【００２７】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００２８】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利価値）が付与される有利状態としての特定遊技状態（大当り遊技状態）に制御される。
【００２９】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動したり、表示図柄の位置が入替わっていたりして、最終結果が表示される前で大当り発生の可能性が継続している状態（以下、これら状態をリーチ状態という。）で行なわれる演出をリーチ演出という。
【００３０】
ここで、リーチ状態は、演出表示装置９の表示領域において停止表示された演出図柄が大当り組合せの一部を構成しているときに未だ停止表示されていない演出図柄の変動が継続している表示状態、または、全部もしくは一部の演出図柄が大当り組合せの全部または一部を構成しながら同期して変動している表示状態である。言い換えると、リーチとは、複数の変動表示領域において識別情報が特定表示結果を構成しているが少なくとも一部の変動領域が変動表示中である状態をいう。この実施形態において、リーチ状態は、たとえば、左，右の図柄表示領域で同じ図柄が停止し、中の図柄表示領域で図柄が停止していない状態で形成される。リーチ状態が形成されるときの左，右の図柄表示領域で停止された図柄は、リーチ形成図柄、または、リーチ図柄と呼ばれる。
【００３１】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチ（ノーマルリーチ）に比べて、大当りが発生しやすいように設定されたものがある。このような特別のリーチをスーパーリーチという。また、リーチの中には、特別なスーパーリーチ以外のリーチとして、基本的なリーチであるノーマルリーチが含まれている。ノーマルリーチは、スーパーリーチよりも大当りが発生しにくいように設定されたものである。
【００３２】
この実施の形態において、スーパーリーチにおいては、リーチ図柄が形成された後、所定の動画（たとえば、所定のキャラクタ動画等の動画）を表示した後、表示結果導出表示前の最終的な演出表示において、変動中の中演出図柄をスクロールさせる演出等の遊技者の期待感を向上させるような複雑な演出表示が実行される。また、ノーマルリーチにおいては、リーチ図柄が形成された後、前述の動画を表示せずに背景画像（図柄の背景を構成する画像）の種類をリーチ状態となる前に表示されていた画像とは異ならせるような比較的簡素な演出表示が実行される。このようなノーマルリーチでは、たとえば、中図柄の最終停止図柄の停止表示前のスクロール状態において、たとえば、３図柄前等の任意の図柄数（図柄配列数）前の図柄から変動表示速度を減速する演出が行なわれることにより、表示結果導出表示前の最終的な演出表示が行なわれる。なお、ノーマルリーチでは、その他の演出表示が行なわれる場合もある。
【００３３】
リーチ状態となった後に、リーチ図柄が形成された態様で大当り表示結果以外のはずれ表示結果となったときが、リーチはずれと呼ばれる。また、リーチ状態とならずにリーチ図柄が形成されない態様ではずれ表示結果となったときが、非リーチはずれと呼ばれる。
【００３４】
演出表示装置９の右方には、各々を識別可能な識別情報としての第１特別図柄を変動表示する第１特別図柄表示器（第１変動表示部）８ａが設けられている。第１特別図柄表示器８ａは、０〜９の数字等の特別図柄を変動表示可能な簡易で小型の表示器（たとえば７セグメントＬＥＤ）で実現されている。また、演出表示装置９の右方（第１特別図柄表示器８ａの右隣）には、各々を識別可能な識別情報としての第２特別図柄を変動表示する第２特別図柄表示器（第２変動表示部）８ｂが設けられている。第２特別図柄表示器８ｂは、０〜９の数字等の特別図柄を変動表示可能な簡易で小型の表示器（たとえば７セグメントＬＥＤ）で実現されている。
【００３５】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００３６】
なお、この実施の形態では、２つの特別図柄表示器８ａ，８ｂを備える場合を示しているが、遊技機は、特別図柄表示器を１つのみ備えるものであってもよい。
【００３７】
第１特別図柄または第２特別図柄の変動表示は、変動表示の実行条件である第１始動条件（第１実行条件）または第２始動条件（第２実行条件）が成立（たとえば、遊技球が始動入賞領域としての第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。また、第１始動入賞口１３および第２始動入賞口１４のような始動領域に遊技球が進入したにもかかわらず未だ開始条件が成立していない変動表示について、所定の上限数の範囲内で情報を記憶することが保留記憶と呼ばれる。また、このような保留記憶という用語は、保留記憶された情報（保留記憶情報）を示す（特定する）場合にも用いられる。
【００３８】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３９】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４０】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００４１】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００４２】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１特別図柄の変動表示が開始可能となる第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００４３】
遊技球が第２始動入賞口１４に入り第２始動口スイッチ１４ａで検出されると、第２特別図柄の変動表示を開始できる状態であれば（たとえば、特別図柄の変動表示が終了し、第２特別図柄の変動表示が開始可能となる第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００４４】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当り表示結果として大当りを想起させるような演出図柄の組合せが停止表示される。
【００４５】
また、演出表示装置９の表示画面の下部には、第１保留記憶数と第２保留記憶数との合計数（合算保留記憶数）を表示する保留記憶表示部（合算保留記憶表示部）が設けられる。これにより、変動表示の開始条件が成立していない実行条件の成立数の合計を把握しやすくすることができる。第１特別図柄保留記憶表示器１８ａ、第２特別図柄保留記憶表示器１８ａ、および、演出表示装置９のそれぞれにおいて、保留記憶数を示すための発光表示および画像表示は、保留表示、または、保留記憶表示と呼ばれる。
【００４６】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４７】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００４８】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００４９】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００５０】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５１】
また、プリペイドカードが挿入されることによって球貸しを可能にするプリペイドカードユニット（以下、単に「カードユニット」ともいう。）が、パチンコ遊技機１に隣接して設置される（図示せず）。
【００５２】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００５３】
具体的に、大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００５４】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００５５】
このように、時短状態に移行することによって、特別図柄や演出図柄の変動時間が短縮されるので、時短状態となったときには、有効な始動入賞が発生しやすくなり大当り遊技が行なわれる可能性が高まる。なお、「大当り」のうち、１５ラウンドの大当り遊技状態に制御された後、確変状態に移行しない大当りの種類（種別）は、「通常大当り」と呼ばれる。
【００５６】
また、特別遊技状態としては、確変状態または時短状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される場合がある。電チューサポート制御状態は、後述するように高ベース状態であるので、以下の説明においては、主として高ベース状態と呼ぶ。
【００５７】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００５８】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００５９】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００６０】
また、この実施の形態においては、大当り確率の状態およびベースの状態の組合せを示す用語として、「低確低ベース状態」、「低確高ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確高ベース状態」とは、大当り確率の状態が高確率状態で、かつ、ベースの状態が高ベース状態であることを示す状態である。
【００６１】
図２に示すように、１５ラウンドの大当りとしては、通常大当りと確変大当りとの複数種類の大当りが設けられている。通常大当りは、１５ラウンドの大当り遊技状態の終了後に、非確変状態、時短状態、および、高ベース状態（低確高ベース状態）に制御される大当りである。通常大当りにおいては、非確変状態が次回の大当りが発生するまでの期間継続し、時短状態、および、高ベース状態が、変動表示が１００回という所定回数実行されるまでという条件と、次回の大当りが発生するまでという条件とのいずれか早い方の条件が成立するまでの期間継続する。
【００６２】
確変大当りは、１５ラウンドの大当り遊技状態の終了後に、確変状態、時短状態、および、高ベース状態（高確高ベース状態）に移行する制御が行なわれる大当りである。確変大当りにおいては、このような高確高ベース状態が、変動表示が１００回という所定回数実行されるまでという条件と、次回の大当りが発生するまでという条件とのいずれか早い方の条件が成立するまでの期間継続する。
【００６３】
図３は、主基板（遊技制御基板）３１における回路構成の一例を示すブロック図である。なお、図３は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００６４】
また、ＲＡＭ５５は、その一部または全部が電源基板（図示省略）において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００６５】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００６６】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００６７】
また、ゲートスイッチ３２ａ、第１始動口スイッチ１３ａ、第２始動口スイッチ１４ａ、カウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００６８】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００６９】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００７０】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なったり、音声出力基板７０を介してスピーカ２７からの音出力の制御を行なったり、動きにより大当り期待度等を示す役物を駆動するための駆動モータ１５０の制御を行なったりすることで、各種の演出制御を行なう。なお、アクチュエータとしての駆動モータ１５０は、ステッピングモータなどのサーボモータであればよいが、これに限定されず、他のアクチュエータであってもよく、たとえば、ソレノイドアクチュエータであってもよいし、空圧シリンダや電動シリンダのような動力シリンダであってもよい。
【００７１】
また、演出制御用ＣＰＵ１０１は、スティックコントローラ１２２のトリガボタン１２５に対する遊技者の操作行為を検出したことを示す情報信号としての操作検出信号を、トリガセンサ１２１から、入力ポート１０６を介して入力する。また、演出制御用ＣＰＵ１０１は、プッシュボタン１２０に対する遊技者の操作行為を検出したことを示す情報信号としての操作検出信号を、プッシュセンサ１２４から、入力ポート１０６を介して入力する。また、演出制御用ＣＰＵ１０１は、スティックコントローラ１２２の操作桿に対する技者の操作行為を検出したことを示す情報信号としての操作検出信号を、傾倒方向センサユニット１２３から、入力ポート１０６を介して入力する。また、演出制御用ＣＰＵ１０１は、出力ポート１０５を介してバイブレータ用モータ１２６に駆動信号を出力することにより、スティックコントローラ１２２を振動動作させる。
【００７２】
図４は、各乱数を示す説明図である。図４においては、乱数の種別、更新範囲、用途、および、加算条件が示されている。各乱数は、以下のように使用される。
【００７３】
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１（ＭＲ１）：大当りの種類（種別、通常大当り、および、確変大当りのいずれかの種別）および大当り図柄を決定する（大当り種別判定用、大当り図柄決定用）。（３）ランダム２（ＭＲ２）：変動パターンの種類（種別）を決定する（変動パターン種別判定用）。（４）ランダム３（ＭＲ３）：変動パターン（変動時間）を決定する（変動パターン判定用）。（５）ランダム４（ＭＲ４）：普通図柄に基づく当りを発生させるか否か決定する（普通図柄当り判定用）。（６）ランダム５（ＭＲ５）：ランダム４の初期値を決定する（ランダム４初期値決定用）。
【００７４】
この実施の形態では、特定遊技状態である大当りとして、通常大当り、および、確変大当りという複数の種別が含まれている。したがって、大当り判定用乱数（ランダムＲ）の値に基づいて、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【００７５】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。
【００７６】
この実施の形態では、変動パターンが、リーチを伴なわない変動パターン種別である通常変動パターン種別と、リーチを伴なう変動パターン種別であるリーチ変動パターン種別とに種別分けされている。
【００７７】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。たとえば、時短状態では、時短状態でないときと比べて、変動時間の平均時間を短くするために、所定の変動パターンの変動時間が時短でないときよりも短く設定されたり、変動パターン種別のうち最も変動時間が短い変動パターン種別が選択される割合が高くなり、リーチ種別が選択されるときでも変動パターン種別のうち最も変動時間が短いノーマルリーチの変動パターンが選択される割合が高くなるように設定されたりすることで、時短状態でないときと比べて、変動時間の平均時間が短くなる。
【００７８】
図５は、大当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【００７９】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い個数（１０倍の個数）の大当り判定値（確変時大当り判定値または第２大当り判定値という）が設定されている。これにより、確変状態には、通常状態よりも高い確率で大当りとする判定がなされる。
【００８０】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【００８１】
図５（Ｂ），（Ｃ）は、ＲＯＭ５４に記憶されている大当り種別判定テーブルを示す説明図である。図５（Ｂ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｃ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【００８２】
図５（Ｂ）、および、図５（Ｃ）の第１，第２特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」と「確変大当り」とのうちのいずれかに決定するとともに、大当り図柄を決定するために参照される。
【００８３】
図５（Ｂ）の第１特別図柄大当り種別判定テーブルには、ランダム１の値と比較される数値であって、「通常大当り」、「確変大当り」のそれぞれに対応した判定値（大当り種別判定値）が設定されている。図５（Ｃ）の第２特別図柄大当り種別判定テーブルには、ランダム１の値と比較される数値であって、「通常大当り」、「確変大当り」のそれぞれに対応した判定値（大当り種別判定値）が設定されている。
【００８４】
また、図５（Ｂ），（Ｃ）に示すように、大当り種別判定値は、第１特別図柄および第２特別図柄の大当り図柄を決定する判定値（大当り図柄判定値）としても用いられる。「通常大当り」に対応した判定値は、第１特別図柄および第２特別図柄の大当り図柄の「３」に対応した判定値としても設定されている。「確変大当り」に対応した判定値は、第１特別図柄および第２特別図柄の大当り図柄の「７」に対応した判定値としても設定されている。
【００８５】
このような大当り種別大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【００８６】
図５（Ｂ）の第１特別図柄大当り種別判定テーブルと図５（Ｃ）の第２特別図柄大当り種別判定テーブルとは、確変大当りに決定される割合が同じである。このような場合には、第１特別図柄と第２特別図柄とで大当り種別判定テーブルを分けなくてもよい。また、大当り種別として、大当り遊技状態での最大ラウンド数が異なる複数種類の大当りのうちから大当り種別を選択するときには、図５（Ｃ）の第２特別図柄大当り種別判定テーブルの方が、図５（Ｂ）の第１特別図柄大当り種別判定テーブルよりも、ラウンド数が多い大当り種別が選択される割合が高くなるように設定してもよい。このようにすれば、高ベース状態において、大当りの種別選択が遊技者にとって有利となり、遊技の興趣を向上させることができる。また、図５（Ｃ）の第２特別図柄大当り種別判定テーブルの方が、図５（Ｂ）の第１特別図柄大当り種別判定テーブルよりも、確変大当りに決定される割合を高くしてもよい。そうすることにより、第２特別図柄の変動表示の方が、第１特別図柄の変動表示よりも、確変大当りとなる割合を高くすることができる。また、第１特別図柄大当り種別判定テーブルの方が、第２特別図柄大当り種別判定テーブルよりも、確変大当りに決定される割合が高くなるようにしてもよい。
【００８７】
次に、図６を用いて、遊技制御用マイクロコンピュータ５６０において、特別図柄および演出図柄の変動パターンを選択決定するために用いる変動パターンテーブルについて説明する。図６は、変動パターンを決定するために用いる変動パターンテーブルを表形式で示す図である。
【００８８】
図６には、（ａ）に通常状態はずれ時判定テーブル、（ｂ）に時短状態はずれ時判定テーブルが示されている。また、（ｃ）に通常大当り時判定テーブル、（ｄ）に確変大当り時判定テーブルが示されている。図６（ａ）〜（ｄ）の各判定テーブルは、ＲＯＭ５４に記憶されており、遊技状態に応じて選択され、変動パターン種別および変動パターンを判定（決定）するために用いられる。
【００８９】
図６に示す判定テーブルは、ランダム２と変動パターン種別との関係を示す変動パターン種別判定テーブルと、各変動パターン種別についてランダム３と各種別に属する変動パターンとの関係を示す変動パターン判定テーブルとを含む。
【００９０】
図６の各テーブルでの「変動パターン種別」または「変動パターン」の欄において、「通常」または「通常変動」は、リーチとならない通常変動パターンを示している。
【００９１】
また、図６の各テーブルでの「ノーマルリーチ」は、リーチ状態となったときに特に派手な演出を実行しないノーマルリーチの変動パターンを示している。「スーパーリーチ」は、リーチ状態となったときに特別な演出画像を表示するリーチ演出を行なう変動パターンを示している。
【００９２】
また、前述したように、「スーパーリーチ」は、「ノーマルリーチ」と比べて大当りとなるときに選択される割合が高く、大当りとなる期待度が高い変動パターンである。さらに、「スーパーリーチ」は、「ノーマルリーチ」と比べて変動時間が長い（たとえば、ノーマルリーチ１０秒、スーパーリーチ３０秒等）変動パターンである。なお、“期待度”とは、大当りに対する期待度、確変に対する期待度等を含む概念である。具体的には、大当りに対する期待度（信頼度ともいう）とは、各リーチ変動パターンが選択された場合に大当りとなる期待度（大当りとなる割合）であり、たとえば、リーチ変動が１００回行なわれた場合に６０回大当りとなるのであれば、大当りに対する期待度が６０％（大当りが出現する出現率（確率）が６０％）となる。また、確変に対する期待度とは、確変状態に移行する期待度（確変となる割合）のことをいう。
【００９３】
また、パチンコ遊技機１においては、識別情報としての演出図柄、および、第１，第２特別図柄のそれぞれの変動表示が開始されてから表示結果が導出表示されるまで、演出表示装置９において、所定の演出態様としての擬似連と呼ばれる演出（以下、擬似連演出と称する）が実行される場合がある。擬似連とは、本来は１つの保留記憶に対応する１回の変動であるものを、複数の保留記憶に対応する複数回の変動が連続して行なわれているように見せる演出表示である擬似連続変動を示す略語である。
【００９４】
また、擬似連とは、１の始動入賞に対して、あたかも複数回の図柄の変動表示（可変表示）が実行されたかのように見せるために、１の始動入賞に対して決定された変動時間内にて、全部の図柄列（左，中，右）について仮停止と、再変動（再変動表示）とを所定回数実行する（繰り返す）特殊な変動パターン（変動表示パターンともいう）のことを指す。このような擬似連では、図柄の仮停止と再変動とを１セットとして擬似連の回数を１回としてカウントする。なお、変動開始時の初回変動と、その後の再変動との合計の変動回数を擬似連回数としてカウントするようにしてもよい。そして、当該擬似連回数を指標情報として表示するようにしてもよい。具体的には、最初の再変動時に「×２」を指標情報として表示するようにすればよい。
【００９５】
また、擬似連は、擬似連の回数が多い程、大当りとなる信頼度（期待度、大当りとなるときとはずれとなるときとを含むすべての選択割合に対して大当りとなるときに選択される割合の度合い、大当りとなる割合の程度、すなわち、大当りとなる信頼性の度合い）が高くなる。より具体的には、大当りと決定されたときに擬似連回数の多い変動パターンを選択される割合が高くなることで、大当り遊技状態となるか否かを擬似連演出により予告する。
【００９６】
擬似連の変動パターンでは、演出表示装置９において通常の図柄配列に含まれない擬似連図柄（たとえば、所定の文字またはキャラクタなどが付された図柄（数字が付されていない図柄、擬似連専用図柄とも称する））が中図柄（左図柄、右図柄でもよい）に仮停止する予告演出が繰返し実行される。たとえば、予告演出として擬似連図柄の変動が繰返されるとき、ＬＥＤ等のランプによる演出、演出表示装置９の液晶画面による演出、スピーカ２７からの音による演出等のいずれか、または、これらの演出のうちの複数の演出が繰返し実行される。
【００９７】
なお、擬似連においては、通常の図柄配列に含まれる図柄（本実施形態では数字図柄を仮停止することで、擬似連が繰返されるようにしてもよい。このような場合、演出表示装置９において仮停止される図柄の組合せが、仮停止図柄の組合せと呼ばれる。仮停止図柄の組合せは、大当り図柄の組合せ以外の図柄の組合せよりなる複数種類のチャンス目（以下、擬似連出目（擬似連チャンス目）という）のうちからいずれかの擬似連チャンス目に決定されるようにすればよい。
【００９８】
本実施の形態では、擬似連演出が実行されるパターンが複数設けられている。たとえば、ノーマルリーチの変動パターン種別には、擬似連が１回実行された後にノーマルリーチが実行される変動パターンが設けられている。また、スーパーリーチの変動パターン種別には、擬似連が２回実行された後にスーパーリーチが実行される変動パターンと擬似連が３回実行された後にスーパーリーチが実行される変動パターンとが設けられている。なお、擬似連を実行する変動と擬似連を実行しない変動とが、各変動パターンにおいて複数パターン（２種類以上）設けられていてもよい。
【００９９】
また、はずれ時判定テーブルに示される変動パターンは、変動表示の最終的な表示結果が「はずれ」の表示結果となる変動パターンである。通常大当り時判定テーブルに示される変動パターンは、変動表示の最終的な表示結果が「通常大当り」の表示結果となる変動パターンである。確変大当り時判定テーブルに示される変動パターンは、変動表示の最終的な表示結果が「確変大当り」の表示結果となる変動パターンである。
【０１００】
これらの情報に基づいて、たとえば、図６（ａ）の「変動パターン」の欄に示された「擬似連（３回）→スーパーリーチ  はずれ  （４０秒）」という変動パターンは、「はずれ表示結果となる変動時間が４０秒で擬似連が３回実行される変動パターン」であることが示される。
【０１０１】
図６のテーブルで「ランダム２範囲」および「変動パターン種別」という記載がされた欄は、「ランダム２範囲」と「変動パターン種別」との関係を示す変動パターン種別判定テーブル部としての機能を示す欄である。たとえば、図６（ａ）を例にとれば、「通常」、「ノーマルリーチ」、「スーパーリーチ」というような複数の変動パターン種別のそれぞれに、ランダム２（１〜２５１）のすべての値が複数の数値範囲に分けて割振られている。たとえば、図６（ａ）を例にとれば、所定のタイミングで抽出したランダム２の値が１〜２５１の乱数値のうち、１４０〜２２９に割振られた判定値のいずれかの数値と合致すると、変動パターン種別として「ノーマルリーチ」とすることが決定される。
【０１０２】
また、図６のテーブルで「ランダム３範囲」および「変動パターン」という記載がされた欄は、「ランダム３範囲」と「変動パターン」との関係を示す変動パターン判定テーブル部としての機能を示す欄である。変動パターン種別判定テーブルの各種別に対応して示されている変動パターンが、各種別に属する変動パターンである。たとえば、図６（ａ）を例にとれば、「スーパーリーチ」の種別に属する変動パターンは、「スーパーリーチ」、「擬似連（２回）スーパーリーチ」、および、「擬似連（３回）スーパーリーチ」である。
【０１０３】
各変動パターン種別に対応する複数の変動パターンのそれぞれに、ランダム３（１〜２２０）のすべての値が、複数の数値範囲に分けて割振られている。たとえば、図６（ａ）を例にとれば、「スーパーリーチ」の変動パターン種別とすることが決定されたときに、所定のタイミングで抽出したランダム３が１〜２２０の乱数値のうち、１０１〜７０に割振られた判定値のいずれかの数値と合致すると、変動パターンとして、「擬似連（２回）→スーパーリーチ  （３０秒）」の変動パターンとすることが決定される。
【０１０４】
第１特別図柄または第２特別図柄について変動表示結果がはずれとなるときには、変動パターンを決定するために、次のように判定テーブルを選択する。非時短状態において、変動表示結果がはずれとなるときには、図６（ａ）の通常状態はずれ時判定テーブルを選択する。一方、時短状態において、変動表示結果がはずれとなるときには、図６（ｂ）の時短状態はずれ時判定テーブルを選択する。なお、図６（ａ），図６（ｂ）の判定テーブルを用いることで、保留数に関わらず、通常状態はずれ時、時短状態はずれ時でのリーチ割合を一定にしている。
【０１０５】
また、時短状態であるか否かにかかわらず第１特別図柄または第２特別図柄について変動表示結果が大当りとなるときには、変動パターンを決定するために、次のように判定テーブルを選択する。変動表示結果が通常大当りとなるときには、図６（ｃ）の通常大当り時判定テーブルを選択する。時短状態であるか否かにかかわらず変動表示結果が確変大当りとなるときには、図６（ｄ）の確変大当り時判定テーブルを選択する。
【０１０６】
図６（ｂ）の時短状態はずれ時判定テーブルでは、図６（ａ）の通常状態はずれ時判定テーブルと比べて、通常変動の変動時間が短く設定されている。そして、図６（ｂ）の時短状態はずれ時判定テーブルでは、図６（ａ）の通常状態はずれ時判定テーブルと比べて、リーチ変動（ノーマルリーチ変動およびスーパーリーチ変動を含む）よりも変動時間が短い通常変動（非リーチはずれ変動（リーチとならずにはずれ表示結果となる変動））に決定される割合が高く、通常変動よりも変動時間が長いリーチ変動に決定される割合が低くなるように、データが設定されている。
【０１０７】
これにより、非時短状態（通常状態）のときと比べて、時短状態のときの方が、変動時間が短い変動パターンが選択される割合が高いので、時短状態のときの方が、非時短状態のときよりも平均的に短い変動時間で変動表示が行なわれることとなる。このように判定テーブルを選択することにより時短状態を実現することができる。また、通常変動を非時短状態よりも時短状態ときの方が変動時間が短くなるように設定することで、時短状態中の保留消化を短縮することができる。
【０１０８】
また、はずれとなるときに選択される図６（ａ）および図６（ｂ）の判定テーブルでは、リーチの種別の選択割合がノーマルリーチ＞スーパーリーチとなるような高低関係で選択されるようにデータが設定されている。一方、大当りとなるときに選択される図６（ｃ）および図６（ｄ）の判定テーブルでは、リーチの種別の選択割合がノーマルリーチ＜スーパーリーチというような割合の高低関係で選択されるようにデータが設定されている。これにより、大当りとなるときには、はずれとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の期待感を高めることができる。
【０１０９】
また、大当りのうち確変大当りとなるときに選択される図６（ｄ）の判定テーブルでは、大当りのうち通常大当りとなるときに選択される図６（ｃ）の判定テーブルと比べて、ノーマルリーチに対してスーパーリーチ演出の種別が選択される割合が高くなるようにデータが設定されている。これにより、確変大当りとなるときには、通常大当りとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の確変大当りへの期待感を高めることができる。
【０１１０】
また、大当りとなるときに選択される図１６（ｃ），（ｄ）の判定テーブルでは、はずれとなるときに選択される図１６（ａ），（ｂ）の判定テーブルと比べて、擬似連回数が多い回数の変動パターンが選択されやすい（擬似連１回の変動パターンよりも擬似連２回や擬似連３回の変動パターンが選択されやすい。）ようになっている。よって、擬似連回数が多い程、大当りとなる割合が高い。よって、擬似連回数が多い程、大当りとなることに期待を持つことができる。
【０１１１】
また、はずれのときに選択される図１６（ａ），（ｂ）の判定テーブルでは、擬似連の回数が多い（２回または３回）スーパーリーチよりも擬似連の回数が少ない（１回）ノーマルリーチが選択されやすくなっている。また、大当りとなるときに選択される図１６（ｃ），（ｄ）の判定テーブルでは、擬似連の回数が少ない（１回）ノーマルリーチよりも擬似連の回数が多い（２回または３回）スーパーリーチが選択されやすくなっている。よって、擬似連回数が多い場合には、擬似連回数が少ない場合よりもスーパーリーチに発展する割合が高く、擬似連の回数が多い場合には、スーパーリーチになることに期待を持つことができる。
【０１１２】
なお、このような変動パターンは、変動表示をする第１特別図柄および第２特別図柄の合算保留記憶数（合計値）が所定数以上であるとき（たとえば、合算保留記憶数が３以上）と、所定数未満であるときとで選択割合が異なるように設定されることにより、合算保留記憶数が所定数以上であるときには、合算保留記憶数が所定数未満であるときと比べて、変動時間が短縮される保留数短縮制御を実行するようにしてもよい。ただし、保留数短縮制御が実行される条件下でも（たとえば、合算保留記憶数が３以上）リーチ（ノーマルリーチ、スーパーリーチ含む）の割合を一定にすることで、リーチに対する期待感が保たれる。また、リーチの中でもスーパーリーチのみ変動時間が短縮されないようにして、保留数時短制御を実行するようにしてもよい。さらに、保留数時短制御は変動時間が短い通常変動が高い割合で選択されるようにすることで実行可能としてもよく、各変動パターン自体の変動時間を短くすることで実行可能としてもよいし、その組合せでもよい。
【０１１３】
また、本実施の形態では、特定演出における演出態様が特定演出の途中で別の演出態様に移行（変更）することがある。そして、これらの特定演出に関する演出態様は後述するように、演出制御用マイクロコンピュータ１００側で決定している。しかしながら、特定演出における演出態様の移行の有無や特定演出の内容について、遊技制御用マイクロコンピュータ５６０側で決定するようにしてもよい。
【０１１４】
また、スーパーリーチの変動パターン種別には、擬似連が１回実行されるパターンが存在しなかったが、擬似連が１回のパターンを設けるようにしてもよい。また、ノーマルリーチの変動パターン種別に擬似連２回、３回のパターンを設けるようにしてもよい。
【０１１５】
図７は、遊技制御用マイクロコンピュータ５６０が送信する演出制御コマンドの内容の一例を示す説明図である。遊技制御用マイクロコンピュータ５６０においては、図７に示すように、遊技制御状態に応じて、各種の演出制御コマンドを演出制御用マイクロコンピュータ１００へ送信する。
【０１１６】
図７のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、図６に示すような使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【０１１７】
コマンド８Ｃ０１（Ｈ）〜８Ｃ０３（Ｈ）は、大当りとするか否か、および大当り種別を示す表示結果指定コマンドである。
【０１１８】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【０１１９】
コマンドＡ００１〜Ａ００２（Ｈ）は、大当りの種別（通常大当り、または、確変大当り）ごとに大当り遊技状態の開始を指定する大当り開始指定コマンドである。
【０１２０】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【０１２１】
コマンドＡ３０１〜Ａ３０２（Ｈ）は、大当りの種別（通常大当り、または、確変大当り）ごとに大当り遊技状態の終了を指定する大当り終了指定コマンドである。
【０１２２】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【０１２３】
コマンドＢ０００（Ｈ）は、遊技状態が通常状態（低確率状態）であることを指定する通常状態指定コマンドである。コマンドＢ００１（Ｈ）は、遊技状態が時短状態（高ベース状態）であることを指定する時短状態指定コマンドである。コマンドＢ００２（Ｈ）は、遊技状態が確変状態（高確率状態）であることを指定する確変状態指定コマンドである。
【０１２４】
コマンドＣ０ＸＸ（Ｈ）は、第１保留記憶数と第２保留記憶数との合計数（合算保留記憶数）を指定する合算保留記憶数指定コマンドである。コマンドＣ０ＸＸ（Ｈ）における「ＸＸ」が、合算保留記憶数を示す。コマンドＣ１００（Ｈ）は、合算保留記憶数を１減算することを指定する演出制御コマンド（合算保留記憶数減算指定コマンド）である。なお、この実施の形態では、遊技制御用マイクロコンピュータ５６０は、合算保留記憶数を減算する場合には合算保留記憶数減算指定コマンドを送信するが、合算保留記憶数減算指定コマンドを使用せず、合算保留記憶数を減算するときに、減算後の合算保留記憶数を指定する合算保留記憶数指定コマンドを送信するようにしてもよい。
【０１２５】
なお、この実施の形態では、保留記憶数を指定するコマンドとして、合算保留記憶数を指定する合算保留記憶数指定コマンドを送信する場合を示しているが、第１保留記憶と第２保留記憶とのうち増加した方の保留記憶数を指定するコマンドを送信するように構成してもよい。具体的には、第１保留記憶が増加した場合に第１保留記憶数を指定する第１保留記憶数指定コマンドを送信し、第２保留記憶が増加した場合に第２保留記憶数を指定する第２保留記憶数指定コマンドを送信するようにしてもよい。
【０１２６】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【０１２７】
この実施の形態では、後述する入賞時演出処理（図１１参照）において、遊技制御用マイクロコンピュータ５６０が、始動入賞時に、大当りとなるか否か、大当りの種別、変動パターン種別判定用乱数の値がいずれの判定値の範囲となるかを判定する。そして、図柄指定コマンドのＥＸＴデータに、大当りとなることを指定する値、および、大当りの種別を指定する値を設定し、演出制御用マイクロコンピュータ１００に送信する制御を行なう。また、変動種別コマンドのＥＸＴデータに変動パターン種別の判定結果としての判定値の範囲を指定する値を設定し、演出制御用マイクロコンピュータ１００に送信する制御を行なう。この実施の形態では、演出制御用マイクロコンピュータ１００が、図柄指定コマンドに設定されている値に基づいて、表示結果が大当りとなるか否か、大当りの種別を認識できるとともに、変動種別コマンドに基づいて、変動パターン種別を認識できる。
【０１２８】
図８は、遊技制御用マイクロコンピュータ５６０における保留記憶バッファの構成例を示す説明図である。
【０１２９】
図８（Ａ）は、保留記憶特定情報記憶領域（保留特定領域）の構成例を示す説明図である。保留特定領域は、ＲＡＭ５５に形成（ＲＡＭ５５内の領域である）され、図８（Ａ）に示すように、合算保留記憶数を計数する合計保留記憶数カウンタの値の最大値（この例では８）に対応した領域が確保されている。図８（Ａ）には、合計保留記憶数カウンタの値が５である場合の例が示されている。
【０１３０】
図８（Ａ）に示すように、保留特定領域には、第１始動入賞口１３または第２始動入賞口１４への入賞に基づいて入賞順に「第１」または「第２」であることを示すデータがセットされる。したがって、保留特定領域には、第１始動入賞口１３および第２始動入賞口１４への入賞順を特定可能なデータが記憶される。なお、保留特定領域は、ＲＡＭ５５に形成されている。
【０１３１】
図８（Ｂ）は、保留記憶に対応する乱数等を保存する保存領域（保留記憶バッファ）の構成例を示す説明図である。図８（Ｂ）に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。
【０１３２】
第１始動入賞口１３または第２始動入賞口１４への入賞に基づいて、ＣＰＵ５６は、乱数回路５０３およびソフトウェア乱数を生成するためのランダムカウンタからこのような乱数値を抽出し、それらを、第１保留記憶バッファまたは第２保留記憶バッファにおける保存領域に保存（格納）する処理を実行する。具体的に、第１始動入賞口１３への入賞に基づいて、これら乱数値が抽出されて第１保留記憶バッファに保存される。また、第２始動入賞口１４への入賞に基づいて、これら乱数値が抽出されて第２保留記憶バッファに保存される。
【０１３３】
このように第１保留記憶バッファまたは第２保留記憶バッファに前述のような始動入賞に関する情報が記憶されることを「保留記憶される」と示す場合がある。なお、変動パターン種別判定用乱数（ランダム２）および変動パターン判定用乱数（ランダム３）は、始動入賞時において抽出して保存領域に予め格納しておくのではなく、後述する変動パターン設定処理（特別図柄の変動開始時）に抽出するようにしてもよい。
【０１３４】
このように保留特定領域および保存領域に記憶されたデータは、後述するように、始動入賞時に読出されて先読み予告演出のために用いられるとともに、変動表示開始時に読出されて変動表示のために用いられる。
【０１３５】
第１始動入賞口１３または第２始動入賞口１４への始動入賞があったときには、図柄指定コマンド、変動種別コマンド、第１（第２）始動入賞指定コマンド、および、合算保留記憶数指定コマンドというような、始動入賞時判定処理（たとえば、Ｓ１２１７，Ｓ１２２８の入賞時演出処理）の判定結果を示すコマンドが、主基板３１から演出制御基板８０へと送信される。演出制御用マイクロコンピュータ１００のＲＡＭ１０３に設けられた始動入賞時受信コマンドバッファには、受信した図柄指定コマンド、変動種別コマンド、第１（第２）始動入賞指定コマンド、および、合算保留記憶数指定コマンド等の各種コマンドを対応付けて格納できるように、受信したコマンドを特定可能なデータを記憶する記憶領域が確保されている。
【０１３６】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１３７】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１３８】
図９は、タイマ割込処理を示すフローチャートである。タイマ割込が発生すると、ＣＰＵ５６は、図９に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１３９】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１４０】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１４１】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１４２】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１４３】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１４４】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１４５】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１４６】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１４７】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１４８】
その後、割込許可状態に設定し（Ｓ３４）、処理を終了する。以上の制御によって、この実施の形態では、遊技制御処理は所定時間毎に起動されることになる。
【０１４９】
図１０は、特別図柄プロセス処理（Ｓ２６）を示すフローチャートである。特別図柄プロセス処理では、第１特別図柄表示器８ａまたは第２特別図柄表示器８ｂおよび大入賞口を制御するための処理が実行される。特別図柄プロセス処理においては、始動口スイッチ通過処理を実行する（Ｓ３１２）。そして、内部状態に応じて、Ｓ３００〜Ｓ３０７のうちのいずれかの処理を行なう。
【０１５０】
遊技制御用マイクロコンピュータ５６０において、ＲＡＭ５５には、第１始動入賞口１３への始動入賞に基づいて得られる大当り判定用乱数等の保留記憶データ（第１保留記憶データ）が記憶される第１保留記憶バッファと、第２始動入賞口１４への始動入賞に基づいて得られる大当り判定用乱数等の保留記憶データ（第２保留記憶データ）が記憶される第２保留記憶バッファとが設けられている。これら各保留記憶バッファには、各保留記憶の記憶数の上限値（この例では４）に対応した保存領域が確保されている。
【０１５１】
始動口スイッチ通過処理では、第１始動口スイッチ１３ａがオンしていれば、第１保留記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第１保留記憶バッファにおける保存領域に保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第２保留記憶バッファにおける保存領域に保存（格納）する処理を実行する。
【０１５２】
以下の保留記憶に関する説明に関しては、第１保留記憶バッファまたは第２保留記憶バッファに前述のような始動入賞に関する情報が記憶されることを「保留記憶される」と示す場合がある。また、第１保留記憶バッファに記憶される数値データを第１保留記憶情報と呼び、第２保留記憶バッファに記憶される数値データを第２保留記憶情報と呼ぶ場合がある。
【０１５３】
Ｓ３００〜Ｓ３０７の処理は、以下のような処理である。特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定（変動パターン種別判定用乱数および変動パターン判定用乱数を用いた変動パターンの決定）、および、決定された変動パターンに応じて変動時間を計時するための変動時間タイマの計時開始等の制御を行なう処理である。
【０１５４】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１５５】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示演出用の演出制御コマンドを演出制御用マイクロコンピュータ１００に送信する制御、および、大入賞口の閉成条件の成立を確認する処理等を行なう処理である。大入賞口の閉成条件が成立し、かつ、まだ残りラウンドがある場合には、大入賞口開放前処理（Ｓ３０５）に移行する。また、全てのラウンドを終えた場合には、大当り終了処理（Ｓ３０７）に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１５６】
図１１は、Ｓ３１２の始動口スイッチ通過処理を示すフローチャートである。始動口スイッチ通過処理において、ＣＰＵ５６は、まず、第１始動口スイッチ１３ａがオン状態であるか否かを確認する（Ｓ１２１１）。第１始動口スイッチ１３ａがオン状態でなければ、Ｓ１２２２に移行する。第１始動口スイッチ１３ａがオン状態であれば、ＣＰＵ５６は、第１保留記憶数が上限値に達しているか否か（具体的には、第１保留記憶数をカウントするための第１保留記憶数カウンタの値が４であるか否か）を確認する（Ｓ１２１２）。第１保留記憶数が上限値に達していれば、Ｓ１２２２に移行する。
【０１５７】
第１保留記憶数が上限値に達していなければ、ＣＰＵ５６は、第１保留記憶数カウンタの値を１増やす（Ｓ１２１３）とともに、合算保留記憶数をカウントするための合算保留記憶数カウンタの値を１増やす（Ｓ１２１４）。また、ＣＰＵ５６は、図８で説明した第１始動入賞口１３および第２始動入賞口１４への入賞順を記憶するための保留記憶特定情報記憶領域（保留特定領域）において、合算保留記憶数カウンタの値に対応した領域に、「第１」を示すデータをセットする（Ｓ１２１５）。
【０１５８】
この実施の形態では、第１始動口スイッチ１３ａがオン状態となった場合（すなわち、第１始動入賞口１３に遊技球が始動入賞した場合）には「第１」を示すデータをセットし、第２始動口スイッチ１４ａがオン状態となった場合（すなわち、第２始動入賞口１４に遊技球が始動入賞した場合）には「第２」を示すデータをセットする。たとえば、ＣＰＵ５６は、図８に示す保留記憶特定情報記憶領域（保留特定領域）において、第１始動口スイッチ１３ａがオン状態となった場合には「第１」を示すデータとして０１（Ｈ）をセットし、第２始動口スイッチ１４ａがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０１５９】
図８（Ａ）に示すように、保留特定領域には、合算保留記憶数カウンタの値の最大値（この例では８）に対応した領域が確保されており、第１始動入賞口１３、または、第２始動入賞口１４への入賞に基づき入賞順に「第１」または「第２」であることを示すデータがセットされる。したがって、保留記憶特定情報記憶領域（保留特定領域）には、第１始動入賞口１３、または、第２始動入賞口１４への入賞順番が記憶される。
【０１６０】
次いで、ＣＰＵ５６は、乱数回路５０３やソフトウェア乱数を生成するためのカウンタから値を抽出し、それらを、第１保留記憶バッファ（図８（Ｂ）参照）における保存領域に格納する処理を実行する（Ｓ１２１６）。Ｓ１２１６の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１６１】
次いで、ＣＰＵ５６は、検出した始動入賞に基づく変動がその後実行されたときの変動表示結果や変動パターン種別を始動入賞時に予め判定する入賞時演出処理を実行する（Ｓ１２１７）。
【０１６２】
この実施の形態では、第１始動入賞口１３または第２始動入賞口１４への始動入賞が発生し、当該始動入賞時に得られた各種データが保留記憶情報として記憶された後、変動表示の開始条件が成立すると、変動表示を開始するタイミングにおいて、特別図柄通常処理（Ｓ３００）で、当該保留記憶情報に基づき、変動表示を開始する特別図柄（第１特別図柄または第２特別図柄）について、変動表示結果を大当り表示結果とするか否かの決定、および、大当り種別の決定を、前述した各種乱数値に対応して設定された大当り判定値、および、大当り種別判定値に基づいて行なう。そして、変動パターン設定処理（Ｓ３０１）において変動パターン（変動パターン種別の決定も含む）の決定を、前述した各種乱数値に対応して設定された変動パターン種別判定値、および、変動パターン判定値に基づいて行なう。
【０１６３】
一方、このような決定とは別に、第１始動入賞口１３または第２始動入賞口１４への始動入賞に基づく変動表示が開始される前のタイミング、具体的には、遊技球が第１始動入賞口１３または第２始動入賞口１４に始動入賞したタイミング（保留記憶情報が記憶されたタイミング）で、その始動入賞時に得られた各種データを記憶した保留記憶情報を先読みし、その先読みした保留記憶情報に基づいて、予め大当りとなるか否かの決定、大当りの種別の決定、および、変動パターンの決定を、前述した各種乱数値に対応して設定された大当り判定値、大当り種別判定値、および、変動パターン種別判定値に基づいて先読み判定する入賞時演出処理を実行する。そのようにすることによって、演出制御用マイクロコンピュータ１００では、演出図柄の変動表示が実行されるよりも前に予め変動表示結果を予測し、始動入賞時の各種判定結果に基づいて、演出図柄の変動表示中に大当りとなること（大当りとなる可能性）を予告する先読み予告等の先読み演出を実行することが可能である。
【０１６４】
そして、ＣＰＵ５６は、入賞時演出処理の判定結果に基づいて、図柄指定コマンドを演出制御用マイクロコンピュータ１００に送信する制御を行なう（Ｓ１２１８）とともに、変動種別コマンドを演出制御用マイクロコンピュータ１００に送信する制御を行なう（Ｓ１２１９）。また、ＣＰＵ５６は、第１始動入賞指定コマンドを演出制御用マイクロコンピュータ１００に送信する制御を行なう（Ｓ１２２０）とともに、合算保留記憶数カウンタの値をＥＸＴデータに設定して合算保留記憶数指定コマンドを演出制御用マイクロコンピュータ１００に送信する制御を行なう（Ｓ１２２１）。
【０１６５】
Ｓ１２１８，Ｓ１２１９の処理を実行することによって、この実施の形態では、遊技状態（高確率状態、低確率状態、高ベース状態、低ベース状態、大当り遊技状態等の遊技状態）にかかわらず、第１始動入賞口１３に始動入賞するごとに、必ず図柄指定コマンドおよび変動種別コマンドの両方が、演出制御用マイクロコンピュータ１００に送信される。
【０１６６】
また、この実施の形態では、Ｓ１２１８〜Ｓ１２２１の処理が実行されることによって、第１始動入賞口１３への始動入賞が発生したときに、図柄指定コマンド、変動種別コマンド、第１始動入賞指定コマンドおよび合算保留記憶数指定コマンドの４つのコマンドのセットが１タイマ割込内に一括して送信される。
【０１６７】
次いで、ＣＰＵ５６は、第２始動口スイッチ１４ａがオン状態であるか否かを確認する（Ｓ１２２２）。第２始動口スイッチ１４ａがオン状態でなければ、そのまま処理を終了する。第２始動口スイッチ１４ａがオン状態であれば、ＣＰＵ５６は、第２保留記憶数が上限値に達しているか否か（具体的には、第２保留記憶数をカウントするための第２保留記憶数カウンタの値が４であるか否か）を確認する（Ｓ１２２３）。第２保留記憶数が上限値に達していれば、そのまま処理を終了する。
【０１６８】
第２保留記憶数が上限値に達していなければ、ＣＰＵ５６は、第２保留記憶数カウンタの値を１増やす（Ｓ１２２４）とともに、合算保留記憶数をカウントするための合算保留記憶数カウンタの値を１増やす（Ｓ１２２５）。また、ＣＰＵ５６は、保留記憶特定情報記憶領域（保留特定領域）において、合算保留記憶数カウンタの値に対応した領域に、「第２」を示すデータをセットする（Ｓ１２２６）。
【０１６９】
次いで、ＣＰＵ５６は、乱数回路５０３やソフトウェア乱数を生成するためのカウンタから値を抽出し、それらを、第２保留記憶バッファ（図８（Ｂ）参照）における保存領域に格納する処理を実行する（Ｓ１２２７）。なお、Ｓ１２２７の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１７０】
次いで、ＣＰＵ５６は、入賞時演出処理を実行する（Ｓ１２２８）。そして、ＣＰＵ５６は、入賞時演出処理の判定結果に基づいて図柄指定コマンドを演出制御用マイクロコンピュータ１００に送信する制御を行なう（Ｓ１２２９）とともに、変動種別コマンドを演出制御用マイクロコンピュータ１００に送信する制御を行なう（Ｓ１２３０）。また、ＣＰＵ５６は、第２始動入賞指定コマンドを演出制御用マイクロコンピュータ１００に送信する制御を行なう（Ｓ１２３１）とともに、合算保留記憶数カウンタの値をＥＸＴデータに設定して合算保留記憶数指定コマンドを演出制御用マイクロコンピュータ１００に送信する制御を行なう（Ｓ１２３２）。
【０１７１】
Ｓ１２２９，Ｓ１２３０の処理を実行することによって、この実施の形態では、遊技状態（高確率状態、低確率状態、高ベース状態、低ベース状態、大当り遊技状態等の遊技状態）にかかわらず、第２始動入賞口１４に始動入賞するごとに、必ず図柄指定コマンドおよび変動種別コマンドの両方を演出制御用マイクロコンピュータ１００に対して送信する。
【０１７２】
また、この実施の形態では、Ｓ１２２９〜Ｓ１２３２の処理が実行されることによって、第２始動入賞口１４への始動入賞が発生したときに、図柄指定コマンド、変動種別コマンド、第２始動入賞指定コマンドおよび合算保留記憶数指定コマンドの４つのコマンドのセットが１タイマ割込内に一括して送信される。
【０１７３】
図１２は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、処理を終了する。なお、第１保留記憶バッファおよび第２保留記憶バッファのどちらにも保留記憶データがない場合には、処理を終了する前に、１回だけ、デモンストレーション表示を実行させるための客待ちデモ指定コマンドを送信するための処理を実行するようにしてもよい。
【０１７４】
第１保留記憶バッファまたは第２保留記憶バッファに保留記憶データがあるときには、ＣＰＵ５６は、保留特定領域（図８（Ａ）参照）に設定されているデータのうち１番目のデータが「第１」を示すデータであるか否か確認する（Ｓ５２）。保留特定領域に設定されている１番目のデータが「第１」を示すデータでない（すなわち、「第２」を示すデータである）場合（Ｓ５２のＮ）、ＣＰＵ５６は、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５３）。保留特定領域に設定されている１番目のデータが「第１」を示すデータである場合（Ｓ５２のＹ）、ＣＰＵ１０３は、特別図柄ポインタに「第１」を示すデータを設定する（Ｓ５４）。
【０１７５】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１７６】
Ｓ５２〜Ｓ５４の処理が実行されることによって、この実施の形態では、第１始動入賞口１３と第２始動入賞口１４とに遊技球が入賞した始動入賞順にしたがって、第１特別図柄の変動表示または第２特別図柄の変動表示が実行される。
【０１７７】
次いで、ＣＰＵ５６は、ＲＡＭ５５において、特別図柄ポインタが示す方の保留記憶数＝１に対応する保存領域に格納されている各乱数値を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の保留記憶バッファに格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の保留記憶バッファに格納する。
【０１７８】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０１７９】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。また、ＣＰＵ５６は、保留特定領域において合算保留記憶数＝ｍ（ｍ＝２〜８）に対応する保存領域に格納されている値（「第１」または「第２」を示す値）を、合算保留記憶数＝ｍ−１に対応する保存領域に格納する。よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。また、各合算保留記憶数に対応するそれぞれの保存領域に格納されている各値が抽出された順番は、常に、合算保留記憶数＝１〜８の順番と一致するようになっている。
【０１８０】
ＲＡＭ５５に形成され合算保留記憶数を計数する合計保留記憶数カウンタのカウント値を１減算する（Ｓ５７）。なお、ＣＰＵ５６は、カウント値が１減算される前の合算保留記憶数カウンタの値をＲＡＭ５５の所定の領域に保存する。
【０１８１】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０１８２】
次いで、ＣＰＵ５６は、保留記憶バッファからランダムＲ（大当り判定用乱数）を読出し、大当り判定モジュールを実行する（Ｓ６１）。なお、この場合、ＣＰＵ５６は、始動口スイッチ通過処理のＳ１２１６や始動口スイッチ通過処理のＳ１２２７で抽出し第１保留記憶バッファや第２保留記憶バッファに予め格納した大当り判定用乱数を読出し、大当り判定を行なう。大当り判定モジュールは、予め決められている大当り判定値（図５参照）と大当り判定用乱数とを比較し、それらが一致したら大当りとすることに決定する処理を実行するプログラムである。すなわち、大当り判定の処理を実行するプログラムである。
【０１８３】
大当り判定の処理では、遊技状態が確変状態（高確率状態）の場合は、遊技状態が非確変状態（通常遊技状態）の場合よりも、大当りとなる確率が高くなるように構成されている。具体的には、予め大当り判定値の数が多く設定されている確変時大当り判定テーブル（ＲＯＭ５４における図５（Ａ）の右側の数値が設定されているテーブル）と、大当り判定値の数が確変時大当り判定テーブルよりも少なく設定されている通常時大当り判定テーブル（ＲＯＭ５４における図５（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当り判定の処理を行ない、遊技状態が通常遊態や時短状態であるときは、通常時大当り判定テーブルを使用して大当り判定の処理を行なう。すなわち、ＣＰＵ５６は、大当り判定用乱数（ランダムＲ）の値が図５（Ａ）に示すいずれかの大当り判定値に一致すると、特別図柄に関して大当りとすることに決定する。大当りとすることに決定した場合には（Ｓ６１のＹ）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０１８４】
なお、現在の遊技状態が確変状態であるか否かの確認は、確変フラグがセットされているか否かにより行なわれる。確変フラグは、遊技状態を確変状態に移行するときにセットされ、確変状態を終了するときにリセットされる。具体的に、確変フラグは、確変大当りとなったときに、大当り終了処理（図１０のＳ３０７）においてセットされ、その後、次回の大当りが決定されたという条件、または、はずれ表示結果となる変動表示が所定回数（たとえば１００回）が実行されたという条件が成立したときに、特別図柄の変動表示を終了して停止図柄を停止表示するタイミングでリセットされる。
【０１８５】
大当り判定用乱数（ランダムＲ）の値がいずれの大当り判定値にも一致しなければ（Ｓ６１のＮ）、後述するＳ７５に進む。
【０１８６】
Ｓ６１において大当り判定用乱数（ランダムＲ）の値がいずれかの大当り判定値に一致すればＣＰＵ５６は、大当りであることを示す大当りフラグをセットする（Ｓ７１）。なお、大当りフラグは、大当り遊技が終了するときにリセットされる。そして、大当り種別を複数種類のうちのいずれかに決定するために使用するテーブルとして、図５（Ｂ）の第１特別図柄大当り種別判定用テーブルおよび図５（Ｃ）の第２特別図柄大当り種別判定用テーブルのうち、いずれかのテーブルを選択する（Ｓ７２）。具体的に、ＣＰＵ５６は、特別図柄ポインタが「第１」を示している場合には、図５（Ｂ）に示す第１特別図柄大当り種別判定用テーブルを選択する。また、ＣＰＵ５６は、特別図柄ポインタが「第２」を示している場合において、図５（Ｃ）の第２特別図柄大当り種別判定用テーブルを選択する。
【０１８７】
次いで、ＣＰＵ５６は、始動口スイッチ通過処理で抽出し第１保留記憶バッファや第２保留記憶バッファに予め格納した大当り種別判定用乱数を読出し、Ｓ７２で選択した大当り種別判定テーブルを用いて、保留記憶バッファに格納された大当り種別判定用の乱数（ランダム１）の値と一致する値に対応した大当り種別および大当り図柄を決定する（Ｓ７３）。
【０１８８】
図５（Ｂ），（Ｃ）に示すように、第１特別図柄および第２特別図柄については、大当り種別ごとに大当り図柄が異なるように大当り種別と大当り図柄との関係が設定されており、大当り種別と大当り図柄とが同時に決定されるので、大当り図柄と、大当り種別に応じた遊技制御との対応関係が単純化するため、遊技制御の複雑化を防ぐことができる。
【０１８９】
また、ＣＰＵ５６は、決定した大当りの種別を示す大当り種別データをＲＡＭ５５における大当り種別バッファに設定する（Ｓ７４）。たとえば、大当り種別が「通常大当り」の場合には、大当り種別データとして「０１」が設定される。大当り種別が「確変大当り」の場合には、大当り種別データとして「０２」が設定される。
【０１９０】
次いで、ＣＰＵ５６は、特別図柄の停止図柄を設定する（Ｓ７５）。具体的には、大当りフラグがセットされていない場合には、はずれ図柄となる「−」を特別図柄の停止図柄として設定する。大当りフラグがセットされている場合には、大当り種別の決定結果に応じて、Ｓ７３により決定された大当り図柄を特別図柄の停止図柄に設定する。すなわち、大当り種別が「確変大当り」に決定されたときには「７」を特別図柄の停止図柄に設定する。大当り種別が「通常大当り」に決定した場合には「３」を特別図柄の停止図柄に決定する。
【０１９１】
そして、特別図柄プロセスフラグの値を変動パターン設定処理（Ｓ３０１）に対応した値に更新する（Ｓ７６）。
【０１９２】
次に、演出制御用マイクロコンピュータ１００の動作を説明する。図１３は、演出制御基板８０に搭載されている演出制御用マイクロコンピュータ１００（具体的には、演出制御用ＣＰＵ１０１）が実行する演出制御メイン処理を示すフローチャートである。
【０１９３】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０１９４】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理（たとえば、ＲＡＭ１０３に設けられた各種コマンド格納領域に受信したコマンドを特定可能なデータを格納する処理等）等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０１９５】
次いで、演出制御用マイクロコンピュータ１００が用いる乱数（演出図柄の左停止図柄決定用のＳＲ１−１、演出図柄の中停止図柄決定用のＳＲ１−２、演出図柄の右停止図柄決定用のＳＲ１−３を含む各種乱数）を生成するためのカウンタのカウント値を更新する乱数更新処理を実行する（Ｓ７０６）。このような乱数ＳＲ１−１〜ＳＲ１−３のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０１９６】
次いで、第１保留表示エリアおよび第２保留表示エリアの保留表示の表示状態の制御（保留表示の増加、消去、移動等）を行なう保留記憶表示制御処理を実行する（Ｓ７０７）。具体的に、Ｓ７０７の処理では、保留記憶の発生に応じて、保留記憶表示エリアに保留記憶を出現させ、保留記憶に基づく変動表示が実行されるときに、対応する保留表示を消去し、その他の保留表示を、消去された保留表示の位置に向けて１つずつシフトする処理を実行する。その後、Ｓ７０２に移行する。
【０１９７】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０１９８】
図１４は、図１３に示された演出制御メイン処理における演出制御プロセス処理（Ｓ７０５）を示すフローチャートである。演出制御プロセス処理では、演出制御用ＣＰＵ１０１は、先読み演出を実行するか否かの決定、および、先読み演出の種類の選択をする先読み演出処理（Ｓ５００）を実行した後、演出制御プロセスフラグの値に応じてＳ８００〜Ｓ８０７のうちのいずれかの処理を行なう。
【０１９９】
演出制御プロセス処理では、以下のような処理が実行される。演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０２００】
先読み予告処理（Ｓ５００）は、先読み予告を実行するか否か等の先読み判定、および、先読み予告を実行するときの演出態様の決定等の処理である。ここで、先読み予告とは、ある保留情報（保留記憶）に基づいた特別図柄の変動表示（図柄変動）の順番が到来する前に、その保留情報を先読みしてその保留情報に基づいた特別図柄の変動表示の内容を判定して、将来の特別図柄の変動表示がどのようになるものであるのかをそれよりも前の段階で予告する技術である。たとえば、４番目に消化される保留情報が大当りであるときに、１〜３番目に消化される保留情報に基づいた各々の特別図柄の変動表示において、後に大当りが発生する可能性のあることを所定の演出態様で予告するといった類の演出が先読み予告として行なわれる。以下では、先読み予告の対象とした保留情報に基づいた変動表示を“ターゲットの変動表示”と称する。
【０２０１】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０２０２】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０２０３】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行し、最終ラウンドが終了していれば、大当り終了処理に移行する。ラウンド後処理（Ｓ８０６）は、ラウンド間の表示制御を行なう処理である。ラウンド開始条件が成立したら、ラウンド中処理に移行する。大当り終了演出処理（Ｓ８０７）は、演出表示装置９において、大当り遊技状態が終了したことを遊技者に報知する表示制御を行なう処理である。
【０２０４】
演出制御用ＣＰＵ１０１は、変動表示の開始時から変動表示の停止時まで、および、大当り遊技状態の開始時から大当り遊技状態の終了時までの予め定められた演出制御期間中において、ＲＯＭ１０２に格納されたプロセステーブルに設定されているプロセスデータにしたがって演出表示装置９等の演出装置（演出用部品）の制御を行なう。
【０２０５】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０２０６】
次に、変動表示中に実行される演出と演出に伴って表示される指標情報について説明する。図１５は、変動表示中に実行される演出と指標情報との関係を示すタイミングチャートである。図１５に示すタイミングチャートでは、１回の変動表示の時間内において実行される各種演出と演出に伴って表示される指標情報の出現タイミングとが示されている。
【０２０７】
変動表示中には、前述した擬似連演出が実行される場合がある。擬似連演出では、左図柄、右図柄、中図柄（中図柄は擬似連図柄）の順に図柄が仮停止し、３つの仮停止した図柄が再変動する擬似連演出が繰返し実行される。また、擬似連演出では、擬似連図柄が仮停止される毎に大当りの期待度に対しての指標（大当りとなる割合が高いことに対しての指標）となる指標情報が表示される。擬似連図柄が仮停止されるという予告演出が実行されるときに、擬似連図柄が仮停止される回数（擬似連の回数）が指標情報として示される。このような指標情報は、擬似連の再変動中も表示される。また、指標情報は、リーチ演出中も表示され、変動が停止するまで表示される。しかし、指標情報は、リーチ演出の開始時または、リーチ演出が開始される前や開始後の所定のタイミングで消去されるようにしてもよい。また、擬似連演出では、擬似連回数が多い程、大当りとなる割合が高いので、指標情報として表示される回数が多い程、大当りとなる可能性が高いことが示される。また、仮停止とは、変動表示において、表示結果を導出表示する変動表示の終了タイミングよりも前のタイミングで、図柄を一旦停止表示した後、再度変動を行なうときに、当該図柄を一旦停止（仮停止）表示させることをいう。
【０２０８】
図１５に示すタイミングチャートのうち、図１５（ａ）および図１５（ｂ）が擬似連演出が実行される場合のタイミングチャートである。図１５（ａ）では、１回の変動表示中において、擬似連図柄の１回目の仮停止時に、「×１」で示される第１の指標情報が表示される。その後、再変動が実行され演出図柄がリーチ図柄（リーチとなったことを示す図柄であり、変動中の中図柄を除いた左図柄と右図柄とに同じ数字で表示（たとえば、左図柄と中図柄とに「５」が表示）される図柄）で停止し、リーチとなった後にノーマルリーチ演出が実行される。
【０２０９】
また、図１５（ｂ）では、１回の変動表示中において、擬似連図柄の１回目の仮停止時に、「×１」で示される第１の指標情報が表示される。その後、擬似連図柄の２回目の仮停止時に、「×２」で示される第２の指標情報が表示される。その後、再変動が実行され演出図柄がリーチ図柄で停止し、リーチとなった後にスーパーリーチ演出が実行される。
【０２１０】
また、変動表示中には、擬似連演出とは異なる第１特定演出と第２特定演出とを含む特定演出が実行される場合がある。特定演出では、演出表示装置９の画面上に星の画像が表示される演出が実行される。特定演出の詳細については後述するが、特定演出が実行されたときにも擬似連演出と同じように指標情報が表示される。このように、特定演出は、擬似連演出と同様に大当りの期待度を示唆する演出である。また、擬似連演出と同様に、特定演出では、「×１」よりも「×２」で指標情報が表示された方が大当りの期待度が高くなるという関係があるので、大当りの期待度を指標情報により分かり易く表示することができる。また、擬似連演出とは異なる特定演出の実行時にも指標情報が表示され、指標情報の表示頻度が増えるとともに、指標情報の表示のバリエーションが増加するので、変動表示中の演出効果を高め、遊技の興趣を向上させることができる。
【０２１１】
また、特定演出のうち、第１特定演出よりも第２特定演出が実行される場合の方が、大当りとなる割合が高くなるように、実行割合が設定されている。よって、第１特定演出よりも第２特定演出が実行される場合の方が、大当り表示結果となることが期待できる。ここで、第１特定演出が実行されるときには、第１の指標情報が表示され、第２特定演出が実行されるときには、第２の指標情報が表示される。よって、大当りとなる割合が高く設定された第２特定演出で第２指標情報が表示されるので、第２指標情報が表示されることにより、大当り表示結果となることに期待を持つことができる。
【０２１２】
また、第１特定演出には、第１特定演出Ａと第１特定演出Ｂという複数種類の演出が設けられている。図１５に示すタイミングチャートのうち、図１５（ｃ）〜図１５（ｅ）が特定演出が実行される場合のタイミングチャートである。
【０２１３】
図１５（ｃ）では、１回の変動表示中において、第１特定演出Ａが実行されたとき（第１特定演出Ａの終了のタイミング）に、「×１」で示される第１の指標情報が表示される。その後、演出図柄がリーチ図柄で停止し、リーチとなった後にノーマルリーチ演出が実行される。図１５（ｄ）では、１回の変動表示中において、第２特定演出が実行されたときに、「×２」で示される第２の指標情報が表示される。その後、演出図柄がリーチ図柄で停止し、リーチとなった後にノーマルリーチ演出が実行される。このように、第１特定演出Ａが実行されたときには、第１の指標情報が表示され、第２特定演出が実行されたときには、第２の指標情報が表示される。
【０２１４】
また、図１５（ｅ）では、１回の変動表示中において、第１特定演出Ａが実行されたときに、「×１」で示される第１の指標情報が表示される。その後、第２特定演出が実行されたときに、「×２」で示される第２の指標情報が表示される。なお、このような第１特定演出Ａや第２特定演出は、当該特定演出が開始されるタイミングで指標情報を表示するようにしてもよい。また、特定演出開始後の所定タイミングで表示するようにしてもよい。そして、第１特定演出Ａと第２特定演出が実行された後、演出図柄がリーチ図柄で停止し、リーチとなった後にスーパーリーチ演出が実行される。このように、第１特定演出Ａが実行された後に、第２特定演出が実行される場合があり、このような場合には、第１特定演出Ａから第２特定演出へと演出が段階的に変化する。よって、第１特定演出Ａが実行された後に第２特定演出を実行しない場合と比べて、第１特定演出Ａが実行されたときの遊技者の遊技の興趣の低下を防止することができる。
【０２１５】
ここで、「×１」で示される第１の指標情報は、第２特定演出の実行が終了するタイミングまで表示され、第２特定演出が終了したとき（第２特定演出の終了間近のタイミング）に、「×１」で示される第１の指標情報から「×２」で示される第２の指標情報へと表示が変更される。なお、第１の指標情報を第２特定演出の開始時または、第２特定演出が開始される前や開始後の所定のタイミングにおいて消去するようにしてもよい。また、第２の指標情報は、全ての図柄が停止されるまで（変動の終了時まで）表示される。しかし、第２の指標情報は、スーパーリーチ演出の開始時または、スーパーリーチ演出が開始される前や開始後の所定のタイミングで消去されるようにしてもよい。また、ノーマルリーチ演出が実行される場合にも同様に、ノーマルリーチ演出の開始時または、ノーマルリーチ演出が開始される前や開始後の所定のタイミングで指標情報が消去されるようにしてもよい。
【０２１６】
図１６は、演出表示装置９における擬似連演出および特定演出の表示例を示す説明図である。図１６（ａ）〜（ｆ）は、１回の変動表示中において擬似連が２回（擬似連の回数が２回）実行された後にスーパーリーチ演出が実行される場合の表示例が示されている。また、図１６（ｇ）〜（ｌ）には、１回の変動表示中において第１特定演出Ａが実行された後に、第２特定演出が実行され、その後スーパーリーチ演出が実行される場合の表示例が示されている。
【０２１７】
１回の変動表示中において擬似連が２回実行された後にスーパーリーチ演出が実行される場合、まず、特別図柄の変動表示の開始条件が成立すると、図１６（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。「左」，「中」，「右」の各図柄表示エリア９１，９２，９３は、基本的に、「左」，「右」，「中」図柄表示エリア９１，９３，９２の順番により演出図柄が停止される。演出表示装置９の下部中央には、第１始動入賞口１３に入賞したことに基づく第１保留記憶と第２始動入賞口１４に入賞したことに基づく第２保留記憶との合計数を表示する合算保留記憶表示部１８ｃが設けられている。なお、擬似連演出が実行される場合には、「中」の図柄表示エリア９２に９つの数字図柄に加え「ＮＥＸＴ」の文字が表示された擬似連図柄９４が追加されて、変動表示が開始される。
【０２１８】
その後、図１６（ｂ）に示すように、「左」の図柄表示エリア９１に「５」の図柄が仮停止され、「右」の図柄表示エリア９３に「６」の図柄が仮停止された後、「中」の図柄表示エリア９２に「ＮＥＸＴ」の文字が表示された擬似連図柄９４が仮停止される。また、擬似連図柄９４が仮停止したときに、演出表示装置９の画面の左上に、擬似連が１回実行されたことを示す第１の指標情報４３が表示される。
【０２１９】
その後、図１６（ｃ）に示すように「左」，「中」，「右」の各図柄表示エリア９１，９２，９３の演出図柄が再変動を開始する。演出表示装置９の画面の左上には、第１の指標情報４３が継続して表示される。その後、図１６（ｄ）に示すように、「左」の図柄表示エリア９１に「５」の図柄が仮停止され、「右」の図柄表示エリア９３に「６」の図柄が仮停止された後、「中」の図柄表示エリア９２に「ＮＥＸＴ」の文字が表示された擬似連図柄９４が仮停止される。また、擬似連図柄９４が仮停止したときに、演出表示装置９の画面の左上に、擬似連が２回実行されたことを示す第２の指標情報４４が表示される。
【０２２０】
その後、図１６（ｅ）に示すように、「左」，「中」，「右」の各図柄表示エリア９１，９２，９３の演出図柄が再変動を開始する。演出表示装置９の画面の左上には、第２の指標情報４４が継続して表示される。その後、大当りとなるときには、リーチとなり、スーパーリーチ演出が実行された後に、大当り表示結果を示す「５」，「５」，「５」の図柄が「左」，「中」，「右」の各図柄表示エリア９１，９２，９３に停止される。
【０２２１】
１回の変動表示中において第１特定演出Ａが実行された後に、第２特定演出が実行され、その後スーパーリーチ演出が実行される場合、まず、特別図柄の変動表示の開始条件が成立すると、図１６（ｇ）に示すように、演出表示装置９における「左」，「中」，「右」の各図柄表示エリア９１，９２，９３のぞれぞれで「０」〜「９」の９つの数字図柄よりなる演出図柄の変動表示が開始される。
【０２２２】
その後、図１６（ｈ）に示すように、白色の星で示される白星１つ表示画像４５が演出表示装置９の画面の右上から画面の中央に向けて流れるように表示される。このように、白星１つ表示画像４５が表示される演出が第１特定演出Ａである。白星１つ表示画像４５が表示されるときには、「左」，「中」，「右」の各図柄表示エリア９１，９２，９３の演出図柄を小型化（縮小）した小図柄９５が演出表示装置９の画面の右上において変動表示される。
【０２２３】
その後、図１６（ｉ）に示すように、白星１つ表示画像４５が演出表示装置９の画面の中央で表示されるときに、演出表示装置９の画面の左上に、第１特定演出Ａが実行されたことを示す第１の指標情報４３が表示される。そして、白星１つ表示画像４５が消去されて所定時間経過後に、図１６（ｊ）に示すように、赤色の星で示される赤星１つ表示画像４６が演出表示装置９の画面の右上から画面の中央に向けて流れるように表示される。このように、赤星１つ表示画像４６が表示される演出が第２特定演出である。赤星１つ表示画像４６が表示されるときには、引き続き小図柄９５が演出表示装置９の画面の右上において変動表示されている。
【０２２４】
その後、図１６（ｋ）に示すように、赤星１つ表示画像４６が演出表示装置９の画面の中央で表示されるときに、演出表示装置９の画面の左上に、第２特定演出が実行されたことを示す第２の指標情報４４が表示される。そして、赤星１つ表示画像４６が消去されて所定時間経過後に、大当りとなるときには、リーチとなり、スーパーリーチ演出が実行された後に、大当り表示結果を示す「５」，「５」，「５」の図柄が「左」，「中」，「右」の各図柄表示エリア９１，９２，９３に停止される。
【０２２５】
図１６（ａ）〜（ｆ）に示すように、擬似連図柄９４が仮停止する毎に擬似連の実行された回数を示す指標情報が表示される。また、図１６（ｇ）〜（ｌ）に示すように、特定演出が実行される際にも、特定演出の種類に対応した指標情報が表示される。よって、擬似連演出以外にも指標情報が表示されるので、変動表示中の演出効果を高め、遊技の興趣を向上させることができる。
【０２２６】
また、図１６に示すように、第１特定演出Ａを実行した後に、第２特定演出が実行されるので、第１特定演出Ａから第２特定演出へと段階的に大当りに制御されることを示唆することができる。よって、第１特定演出Ａが実行された後に第２特定演出を実行しない場合と比べて、第１特定演出Ａが実行されたときの遊技者の遊技の興趣の低下を防止することができる。
【０２２７】
図１７は、演出表示装置９における特定演出の表示例を示す説明図である。図１７（ａ）〜（ｆ）は、１回の変動表示中において第１特定演出Ｂが実行された後に、ノーマルリーチ演出が実行される場合の表示例が示されている。特別図柄の変動表示の開始条件が成立すると、図１７（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。
【０２２８】
その後、図１７（ｂ）に示すように、白色の左半分の星で示される白半分星左表示画像４５ａが演出表示装置９の画面の右上から画面の中央に向けて流れるように表示される。さらに、その後、図１７（ｃ）に示すように、白色の右半分の星で示される白半分星右表示画像４５ｂが演出表示装置９の画面の右上から画面の中央に向けて流れるように表示される。このように、白半分星が２つ表示される演出が第１特定演出Ｂである。白半分星が表示されるときには、「左」，「中」，「右」の各図柄表示エリア９１，９２，９３の演出図柄を小型化（縮小）した小図柄９５が演出表示装置９の画面の右上において変動表示される。
【０２２９】
その後、図１７（ｄ）に示すように、白半分星左表示画像４５ａと白半分星右表示画像４５ｂとが合体する演出が実行される。そして、図１７（ｅ）に示すように、合体した白半分星が白星１つとなり、白星１つ表示画像４５が演出表示装置９の画面の中央で表示される。このとき、第１特定演出Ｂが実行されたことを示す第１の指標情報４３が演出表示装置９の画面の左上に表示される。その後、白星１つ表示画像４５が消去されて所定時間経過後に、リーチとなり、ノーマルリーチ演出が実行された後に、大当り表示結果を示す「５」，「５」，「５」の図柄が「左」，「中」，「右」の各図柄表示エリア９１，９２，９３に停止される。
【０２３０】
図１７に示すように、第１特定演出Ａと同様の白星１つ表示画像４５となる、第１特定演出Ｂは、白半分星左表示画像４５ａと白半分星右表示画像４５ｂとが２つ表示される複数の所定演出から構成されている。よって、第１特定演出が実行されるときの演出が多彩になり、遊技の興趣が向上する。
【０２３１】
図１８は、演出制御プロセス処理における演出図柄変動開始処理（Ｓ８０１）を示すフローチャートである。演出図柄変動開始処理において、演出制御用ＣＰＵ１０１は、次のような処理を行なう。
【０２３２】
演出図柄変動開始処理においては、変動表示結果をはずれとすることに決定されているか否か確認する（Ｓ６０１）。はずれとすることに決定されているか否かは、たとえば、表示結果指定コマンド格納領域に表示結果１指定コマンドが格納されているか否かによって判定される。はずれとすることに決定されている場合には、変動パターンコマンドとして、非リーチ変動パターンに対応したコマンドを受信したか否か確認する（Ｓ６０２）。非リーチ変動パターンに対応したコマンドを受信したか否かは、たとえば、変動パターンコマンド格納領域に格納されているデータによって判定される。
【０２３３】
非リーチ変動パターンに対応したコマンドを受信したと判定した場合、ＲＯＭ１０２に格納されたはずれ図柄決定用データテーブルを用いて、リーチにならないはずれの表示結果を演出図柄の最終停止として決定し（Ｓ６０４）、Ｓ６１６へ進む。はずれ図柄決定用データテーブルでは、複数種類の演出図柄のそれぞれに、ＳＲ１−１〜ＳＲ１−３のそれぞれの数値データが対応付けられている。
【０２３４】
Ｓ６０４の処理では、所定のタイミングでＳＲ１−１〜ＳＲ１−３のそれぞれから数値データ（乱数）を抽出し、はずれ図柄決定用データテーブルを用い、抽出した数値データに対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、右図柄を１図柄ずらす補正）して各停止図柄が決定される。
【０２３５】
Ｓ６０２の処理で非リーチ変動パターンではないと判定した場合（リーチ変動パターンであると判定した場合）は、リーチ図柄の組合せを構成する演出図柄の停止図柄を決定し（Ｓ６０５）、Ｓ６１６へ進む。Ｓ６０５の処理では、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する左，右の各演出図柄の停止図柄として決定され、ＳＲ１−２から抽出されたカウンタの値と合致する乱数に対応する図柄が中図柄の停止図柄として決定される。また、この場合も、偶然大当り図柄の組合せとなってしまうときには、はずれ図柄の組合せとなるように補正（たとえば、中図柄を１図柄ずらす補正）して各停止図柄が決定される。
【０２３６】
また、Ｓ６０１の処理ではずれとすることに決定されていない場合（大当りとすることが決定された場合）に（Ｓ６０１のＮ）、演出制御用ＣＰＵ１０１は、大当りの種別に応じて、大当り図柄の組合せを構成する演出図柄の停止図柄を決定し（Ｓ６０３）、Ｓ６１６へ進む。
【０２３７】
Ｓ６０３では、次のように大当りの種別に応じて当り図柄の組合せを決定する。表示結果２指定コマンドと表示結果３指定コマンドとのうちのどの表示結果指定コマンドが表示結果特定コマンド格納領域に格納されているかに基づいて、確変大当りと、通常大当りとのうちから、大当りの種別を判定し、確変大当りにすることに決定されていると判定したときには、所定のタイミングでＳＲ１−１から数値データ（乱数）を抽出し、ＳＲ１−１と確変大当り図柄の組合せ（たとえば、左，中，右が「７，７，７」等の奇数のゾロ目の組合せ）との関係が設定されたデータテーブル（確変大当り図柄決定用テーブル）を用いて、抽出値からいずれかの確変大当り図柄の組合せを選択決定する。また、通常大当りにすることに決定されていると判定したときには、所定のタイミングでＳＲ１−１から数値データ（乱数）を抽出し、ＳＲ１−１と通常大当り図柄の組合せ（たとえば、左，中，右が「４，４，４」等の偶数のゾロ目の組合せ）との関係が設定されたデータテーブル（通常大当り図柄決定用テーブル）を用いて、抽出値からいずれかの通常大当り図柄の組合せを選択決定する。このように決定された図柄が大当り遊技状態に制御される前の変動表示結果である最終停止図柄として用いられる。
【０２３８】
次に、変動表示における各種演出を設定するための処理（たとえば、特定演出の内容の決定等の処理）を行なう演出設定処理（Ｓ６１６）を実行した後、Ｓ６１７に進む。演出設定処理の処理内容については、図２０を用いて後述する。
【０２３９】
Ｓ６１７では、演出制御パターンを複数種類の演出制御パターンのうちのいずれかに決定する。Ｓ６１７においては、変動パターン指定コマンドによって指定された変動パターン、および、Ｓ６１６の処理で決定した演出の演出制御パターン等により指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを使用パターンとして選択決定する。
【０２４０】
ＲＯＭ１０２に記憶されている制御パターンテーブルには、たとえば、演出図柄の変動が開始されてから最終停止図柄となる確定演出図柄が停止表示されるまでの期間における、演出表示装置９の表示領域における演出図柄の変動表示動作、リーチ演出における演出表示動作、擬似連の演出による演出表示動作、および、予告演出における演出表示動作といった各種の演出動作の制御内容を示すデータが、図柄変動制御パターンとして複数種類格納されている。
【０２４１】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。
【０２４２】
次いで、Ｓ６１７で選択した演出制御パターンに応じたプロセステーブルを選択する（Ｓ６１８）。そして、選択したプロセステーブルのプロセスデータ１におけるプロセスタイマ（演出設定プロセスタイマ）をスタートさせる（Ｓ６１９）。
【０２４３】
Ｓ６１９の処理を実行したら、プロセスデータ１の内容（表示制御実行データ１、ランプ制御実行データ１、音番号データ１）にしたがって演出装置（演出用部品としての演出表示装置９、演出用部品としての各種ランプ、および、演出用部品としてのスピーカ２７）の制御を開始する（Ｓ６２０）。たとえば、表示制御実行データにしたがって、演出表示装置９において変動パターンに応じた画像（演出図柄を含む。）を表示させるために、ＶＤＰ１０９に指令を出力する。また、各種ＬＥＤ等の発光体を点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。
【０２４４】
そして、変動表示時間タイマに、変動パターンコマンドで特定される変動時間に相当する値を設定し（Ｓ６２１）、演出制御プロセスフラグの値を演出図柄変動中処理（Ｓ８０２）に対応した値にし、演出図柄変動開始処理を実行する（Ｓ６２２）。そして、演出図柄変動開始処理が終了する。
【０２４５】
図１９は、指標情報決定テーブルを示す説明図である。指標情報決定テーブルは、リーチが実行される各変動パターンの種類に基づいて、リーチが実行される各変動パターンでの特定演出の種類（特定演出の内容）と指標情報の種類（指標情報の内容）とを決定するために用いるデータテーブルである。
【０２４６】
図１９の指標情報決定テーブルには、図１９（Ａ）〜（Ｄ）に示すテーブルが含まれている。図１９（Ａ）は、今回実行される変動表示がノーマルリーチ大当りとなるときに用いられる、ノーマルリーチ大当り用指標情報決定テーブルである。図１９（Ｂ）は、今回実行される変動表示がスーパーリーチ大当りとなるときに用いられるのスーパーリーチ大当り用指標情報決定テーブルである。図１９（Ｃ）は、今回実行される変動表示がノーマルリーチはずれとなるときに用いられるのノーマルリーチはずれ用指標情報決定テーブルである。図１９（Ｄ）は、今回実行される変動表示がスーパーリーチはずれとなるときに用いられるスーパーリーチはずれ用指標情報決定テーブルである。これらの指標情報決定テーブルは、演出制御基板８０に設けられたＲＯＭ１０２に記憶されている。
【０２４７】
図１９（Ａ）〜（Ｄ）の指標情報決定テーブルでは、演出制御用マイクロコンピュータ１００により更新される乱数の１つとしての指標情報決定用の乱数ＳＲ２（０〜９９の数値範囲）の値が、特定演出種類および指標情報種類を決定するために割振られている。ＳＲ２については、説明を明確化するために、割振られた乱数値の個数が示されている。
【０２４８】
図１９（Ａ）のノーマルリーチ大当り用指標情報決定テーブルでは、所定のタイミングで抽出したＳＲ２の値によって、第２特定演出（赤星１つ表示）および第２の指標情報（×２を表示）＞第１特定演出Ｂ（白半分星２つ表示）および第１の指標情報（×１を表示）＞第１特定演出Ａ（白星１つ表示）および第１の指標情報（×１を表示）という選択割合となる関係で、データが設定されている。また、図１９（Ｂ）のスーパーリーチ大当り用指標情報決定テーブルでは、所定のタイミングで抽出したＳＲ２の値によって、第１特定演出Ａ＋第２特定演出（白星１つ表示→赤星１つ表示）および第２の指標情報（×２を表示）＞第２特定演出（赤星１つ表示）および第２の指標情報（×２を表示）＞第１特定演出Ｂ（白半分星２つ表示）および第１の指標情報（×１を表示）＞第１特定演出Ａ（白星１つ表示）および第１の指標情報（×１を表示）という選択割合となる関係で、データが設定されている。
【０２４９】
また、図１９（Ｃ）のノーマルリーチはずれ用指標情報決定テーブルでは、所定のタイミングで抽出したＳＲ２の値によって、第１特定演出Ａ（白星１つ表示）および第１の指標情報（×１を表示）＞第１特定演出Ｂ（白半分星２つ表示）および第１の指標情報（×１を表示）＞第２特定演出（赤星１つ表示）および第２の指標情報（×２を表示）という選択割合となる関係で、データが設定されている。また、図１９（Ｄ）のスーパーリーチはずれ用指標情報決定テーブルでは、所定のタイミングで抽出したＳＲ２の値によって、第１特定演出Ａ（白星１つ表示）および第１の指標情報（×１を表示）＞第１特定演出Ｂ（白半分星２つ表示）および第１の指標情報（×１を表示）＞第２特定演出（赤星１つ表示）および第２の指標情報（×２を表示）＞第１特定演出Ａ＋第２特定演出（白星１つ表示→赤星１つ表示）および第２の指標情報（×２を表示）という選択割合となる関係で、データが設定されている。
【０２５０】
このような図１９（Ａ）〜（Ｄ）でのデータの設定により、今回実行される変動表示が大当り表示結果となるときには、はずれ表示結果となるときと比べて、第１特定演出よりも第２特定演出が実行される割合が高い。また、第１特定演出では、第１の指標情報が表示され、第２特定演出では、第２の指標情報が表示される。よって、大当り表示結果となるときには、はずれ表示結果となるときと比べて、第１の指標情報よりも第２の指標情報が表示される割合が高い。よって、遊技者は、第２特定演出が実行されると大当りとなることに期待を持つことができる。また、スーパーリーチが実行される変動パターンでは、第１特定演出Ａを実行した後に第２特定演出を実行する特定演出のパターンが設定されている。そして、このような第１特定演出Ａ＋第２特定演出（白星１つ表示→赤星１つ表示）の特定演出のパターンは、今回実行される変動表示が大当り表示結果となるときには、はずれ表示結果となるときと比べて、第１特定演出Ａが実行されずに第２特定演出が実行されるパターンよりも選択されやすい。
【０２５１】
このように、第１特定演出Ａを実行した後に第２特定演出を実行する特定演出のパターンが設定されていることにより、第１特定演出Ａから第２特定演出へと段階的に大当りに状態に制御されることを示唆することができる。よって、第１特定演出Ａが実行された後に第２特定演出を実行しない場合と比べて、第１特定演出Ａが実行されたときの遊技者の遊技の興趣の低下を防止することができる。また、第１特定演出Ａが実行されずに第２特定演出が実行された場合と、第１特定演出Ａが実行された後に第２特定演出が実行された場合とでは、第１特定演出Ａが実行された後に第２特定演出が実行された場合の方が大当りとなる割合が高い。よって、第１特定演出Ａが実行された場合でも第２特定演出が実行されることへの期待感を持つことができ、第２特定演出が実行された場合には、大当り状態に制御されることを期待できるので、遊技の興趣が向上する。
【０２５２】
なお、通常変動はずれを除いた擬似連演出以外の変動パターン（ノーマルリーチ（スーパーリーチ）大当り，ノーマルリーチ（スーパーリーチ）はずれ）で特定演出が必ず実行されるようになっているが、特定演出が実行されないように決定されるようにしてもよい。そのような場合には、大当りのときの方がはずれのときよりも、特定演出が実行され易いようにすることが望ましい。
【０２５３】
図２０は、演出図柄変動開始処理における演出設定処理（Ｓ６１６）の一部を構成する処理を示すフローチャートである。演出設定処理には各種設定処理のサブルーチンがあるが、そのうちの一部の設定処理を説明する。演出設定処理において、演出制御用ＣＰＵ１０１は、次のような処理を行なう。まず、今回実行される変動表示は、擬似連の変動パターンであるか否かを判定する（Ｓ９０１）。今回実行される変動表示が、擬似連の変動パターンであるか否かは、今回の変動表示の変動パターンを指定する変動パターンコマンドが格納されるコマンド格納領域（ＲＡＭ１０３）のデータに基づいて、今回の変動パターンが、擬似連の変動パターンであるか否かを確認することに基づいて判断することができる。
【０２５４】
演出制御用ＣＰＵ１０１は、Ｓ９０１において今回実行される変動表示が擬似連の変動パターンであると判定した場合には、擬似連回数に基づいて、表示する指標情報の種類を決定する（Ｓ９１０）。たとえば、今回実行される変動表示が擬似連１回（擬似連回数１回）の変動パターンであれば、擬似連１回目の仮停止時に指標情報として「×１」を表示するように決定する。また、今回実行される変動表示が擬似連回数２回の変動パターンであれば、擬似連１回目の仮停止時に指標情報として「×１」を表示した後に、擬似連２回目の仮停止時に指標情報として「×２」を表示するように決定する。また、今回実行される変動表示が擬似連回数３回の変動パターンであれば、擬似連１回目の仮停止時に指標情報として「×１」を表示した後に、擬似連２回目の仮停止時に指標情報として「×２」を表示するように決定し、その後、擬似連３回目の仮停止時に指標情報として「×３」を表示するように決定する。次いで、Ｓ９１１の処理へ移行する。なお、この実施の形態では、擬似連が３回までのものしかないので、「×３」の代わりに回数が最大であることを示す「ＭＡＸ」の表示を行なってもよい。
【０２５５】
演出制御用ＣＰＵ１０１は、Ｓ９０１において今回実行される変動表示が擬似連の変動パターンでないと判定した場合には、今回実行される変動表示が大当り表示結果となるか否かを判定する（Ｓ９０２）。演出制御用ＣＰＵ１０１は、ＲＡＭ１０３に設けられた変動表示結果の記憶領域に、大当り表示結果となる内容が格納されているか否かに基づいて、今回実行される変動表示が大当り表示結果となるか否かを判定する。Ｓ９０２において、今回実行される変動表示が大当り表示結果となると判定した場合は、ＲＡＭ１０３に設けられた変動パターンの記憶領域の内容を確認して、今回実行される変動表示がノーマルリーチの変動パターンであるか否かを判定する（Ｓ９０３）。
【０２５６】
Ｓ９０３において、今回実行される変動表示がノーマルリーチの変動パターンであると判定した場合には、指標情報決定用の乱数ＳＲ２を抽出し、その抽出値と図１９（Ａ）のノーマルリーチ大当り用指標情報決定テーブルとにより、実行する特定演出の種類と表示する指標情報の種類とを決定する（Ｓ９０４）。次いで、Ｓ９１１の処理へ移行する。Ｓ９０３において、今回実行される変動表示がノーマルリーチの変動パターンでないと判定した場合には、スーパーリーチの変動パターンであるので、指標情報決定用の乱数ＳＲ２を抽出し、その抽出値と図１９（Ｂ）のスーパーリーチ大当り用指標情報決定テーブルとにより、実行する特定演出の種類と表示する指標情報の種類とを決定する（Ｓ９０５）。次いで、Ｓ９１１の処理へ移行する。
【０２５７】
また、Ｓ９０２において、今回実行される変動表示が大当り表示結果とならないと判定した場合（はずれ表示結果となると判定した場合）には、ＲＡＭ１０３に設けられた変動パターンの記憶領域の内容を確認して、今回実行される変動表示がリーチの変動パターンであるか否かを判定する（Ｓ９０６）。Ｓ９０６において、今回実行される変動表示がリーチの変動パターンでないと判定した場合（非リーチはずれの変動パターンと判定した場合）は、処理を終了する。
【０２５８】
Ｓ９０６において、今回実行される変動表示がリーチの変動パターンであると判定した場合には、今回の変動表示の変動パターンを指定する変動パターンコマンドが格納されるコマンド格納領域（ＲＡＭ１０３）のデータに基づいて、今回実行される変動表示がノーマルリーチの変動パターンであるか否かを判定する（Ｓ９０７）。
【０２５９】
Ｓ９０７において、今回実行される変動表示がノーマルリーチの変動パターンであると判定した場合には、指標情報決定用の乱数ＳＲ２を抽出し、その抽出値と図１９（Ｃ）のノーマルリーチはずれ用指標情報決定テーブルとにより、実行する特定演出の種類と表示する指標情報の種類とを決定する（Ｓ９０８）。次いで、Ｓ９１１の処理へ移行する。Ｓ９０７において、今回実行される変動表示がノーマルリーチの変動パターンでないと判定した場合には、スーパーリーチの変動パターンであるので、指標情報決定用の乱数ＳＲ２を抽出し、その抽出値と図１９（Ｄ）のスーパーリーチはずれ用指標情報決定テーブルとにより、実行する特定演出の種類と表示する指標情報の種類とを決定する（Ｓ９０９）。次いで、Ｓ９１１の処理へ移行する。
【０２６０】
Ｓ９１１では、Ｓ９０４，Ｓ９０５，Ｓ９０８，Ｓ９０９，Ｓ９１０で決定された内容により、擬似連演出、特定演出、指標情報の表示を実行するように設定する（Ｓ９１１）。そして、処理を終了する。
【０２６１】
Ｓ９０１に示すように、今回実行される変動表示が擬似連の変動パターンでない場合に特定演出が実行されるので、１回の変動表示の実行中に擬似連演出と特定演出とが実行されないように制御される。このようにすれば、１回の変動表示の実行中に擬似連演出と特定演出とが実行されることにより、遊技者がいずれの演出に基づく指標情報が表示されているか混乱してしまうことを防止することができる。
【０２６２】
図２１は、変形例における演出表示装置９の表示例を示す説明図である。特定演出が事実行されるパターンとして、図２１に示されるパターンを行なってもよい。図２１には、４つの特定演出のパターンが示されている。図２１（ａ）〜（ｃ）は、指標情報が表示されず、特定演出のみ実行される白半分星１つ表示のパターンである。
【０２６３】
また、図２１（ｄ）〜（ｏ）は、第２の指標情報として「×２」が表示されるパターンである。これら第２の指標情報が表示されるパターンのうち、図２１（ａ）および図２１（ｄ）〜（ｇ）が、白半分星４つ表示のパターンである。また、図２１（ａ）および図２１（ｈ）〜（ｋ）が、白半分星２つ表示と白星１つ表示のパターンである。また、図２１（ａ）および図２１（ｌ）〜（ｏ）が、白星２つ表示のパターンである。
【０２６４】
特別図柄の変動表示の開始条件が成立すると、図２１（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。その後、特定演出のみ実行される白半分星１つ表示のパターンでは、図２１（ｂ）に示すように、白半分星左表示画像４５ａが演出表示装置９の画面の右上から画面の中央に向けて流れるように表示される。その後、白半分星左表示画像４５ａは、演出表示装置９の画面の中央で停止せず、そのまま画面の外へ消えていくように表示される。さらに、その後、図２１（ｃ）に示すように、はずれ表示結果を示す「２」，「５」，「７」の図柄が「左」，「中」，「右」の各図柄表示エリア９１，９２，９３に停止される。
【０２６５】
このように、白半分星１つ表示のパターンは、特定演出としての白半分星１つ表示が行なわれるが、その後、指標情報が表示されない所謂、ガセ演出のパターンである。なお、ガセ演出のパターンとしては、白半分星左表示画像４５ａが表示された後に白半分星右表示画像４５ｂが停止されずに、消えていく演出を行なってもよい。また、１つの白星が表示され、画面の中央に向けて流れるがそのまま停止せずに消えていく演出を行なってもよい。
【０２６６】
また、第２の指標情報として「×２」が表示されるパターンとして、白半分星４つ表示のパターンである図２１（ｄ）〜（ｇ）では、図２１（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。その後、図２１（ｄ）に示すように、白半分星左表示画像４５ａが演出表示装置９の画面の右上から画面の中央に向けて流れるように表示された後、白半分星右表示画像４５ｂが演出表示装置９の画面の右上から画面の中央に向けて流れるように表示される。
【０２６７】
その後、図２１（ｅ）に示すように、白半分星左表示画像４５ａと白半分星右表示画像４５ｂとが合体し白星１つとなり、白星１つ表示画像４５が演出表示装置９の画面の中央で表示される。このとき、第１の指標情報４３が演出表示装置９の画面の左上に表示される。さらにその後、図２１（ｆ）に示すように、白半分星左表示画像４５ａが演出表示装置９の画面の右上から画面の中央に向けて流れるように表示された後、白半分星右表示画像４５ｂが演出表示装置９の画面の右上から画面の中央に向けて流れるように表示される。そして、図２１（ｇ）に示すように、白半分星左表示画像４５ａと白半分星右表示画像４５ｂとが合体し白星１つとなり、白星１つ表示画像４５が演出表示装置９の画面の中央で表示される。このとき、第２の指標情報４４が演出表示装置９の画面の左上に表示される。
【０２６８】
また、第２の指標情報として「×２」が表示されるパターンとして、白半分星２つ表示と白星１つ表示のパターンである図２１（ｈ）〜（ｋ）では、図２１（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。その後、図２１（ｈ）に示すように、白半分星左表示画像４５ａが演出表示装置９の画面の右上から画面の中央に向けて流れるように表示された後、白半分星右表示画像４５ｂが演出表示装置９の画面の右上から画面の中央に向けて流れるように表示される。
【０２６９】
その後、図２１（ｉ）に示すように、白半分星左表示画像４５ａと白半分星右表示画像４５ｂとが合体し白星１つとなり、白星１つ表示画像４５が演出表示装置９の画面の中央で表示される。このとき、第１の指標情報４３が演出表示装置９の画面の左上に表示される。さらにその後、図２１（ｊ）に示すように、白星１つ表示画像４５が演出表示装置９の画面の右上から画面の中央に向けて流れるように表示される。そして、図２１（ｋ）に示すように、白星１つ表示画像４５が演出表示装置９の画面の中央で表示される。このとき、第２の指標情報４４が演出表示装置９の画面の左上に表示される。
【０２７０】
また、第２の指標情報として「×２」が表示されるパターンとして、白星２つ表示のパターンである図２１（ｌ）〜（ｏ）では、図２１（ａ）に示すように、演出表示装置９における「左」，「中」，「右」の各図柄表示エリア９１，９２，９３のぞれぞれで「０」〜「９」の９つの数字図柄よりなる演出図柄の変動表示が開始される。その後、図２１（ｌ）に示すように、白星１つ表示画像４５が演出表示装置９の画面の右上から画面の中央に向けて流れるように表示される。そして、図２１（ｍ）に示すように、白星１つ表示画像４５が演出表示装置９の画面の中央で表示される。このとき、第１の指標情報４３が演出表示装置９の画面の左上に表示される。
【０２７１】
その後、図２１（ｎ）に示すように、白星１つ表示画像４５が演出表示装置９の画面の右上から画面の中央に向けて流れるように表示される。そして、図２１（ｏ）に示すように、白星１つ表示画像４５が演出表示装置９の画面の中央で表示される。このとき、第２の指標情報４４が演出表示装置９の画面の左上に表示される。
【０２７２】
図２１に示すように、ガセの演出パターンを設けたり、第２の指標情報が表示されるパターンを複数設けたりすることで、演出のパターンが増加し、遊技の興趣を向上させることができる。なお、第２指標情報が表示されるパターンでは、大当り表示結果となる場合は、はずれ表示結果となる場合と比べ、いずれかのパターンが選択されやすいようにしてもよい。このようにすれば、実行される特定演出の種類に遊技者を注目させることができる。
【０２７３】
また、図２１の第２の指標情報が表示されるパターンを用いれば、同じ白星１つ表示画像４５が表示される毎に指標情報として表示される数字が大きくなるので、白星１つ表示画像４５の表示数に注目させることができる。なお、第１の指標情報が表示された後に、白星が完成せず第２の指標情報が表示されないガセパターンを設けてもよい。また、白星１つ表示画像４５がいきなり２つ表示されるようなパターンを設け、第２の指標情報が表示されるようにしてもよい。
【０２７４】
次に、前述した実施の形態により得られる主な効果を説明する。
（１）  図１６に示すように、擬似連回数が１回のとき（１回目に擬似連図柄９４が仮停止するとき）に×１で示される第１の指標情報４３が表示され、擬似連回数が２回のとき（２回目に擬似連図柄９４が仮停止するとき）に×２で示される第２の指標情報４４が表示される。また、白星１つ表示で示される第１特定演出Ａが実行されるときに、×１で示される第１の指標情報４３が表示され、赤星１つ表示で示される第２特定演出が実行されるときに、×２で示される第２の指標情報４４が表示される。よって、擬似連演出以外にも指標情報が表示され、指標情報の表示頻度が増えるとともに、指標情報の表示のバリエーションが増加するので、変動表示中の演出効果を高め、遊技の興趣を向上させることができる。
【０２７５】
（２）  図２０のＳ９０１に示すように、今回実行される変動表示が擬似連の変動パターンでない場合に特定演出が実行されるので、１回の変動表示の実行中に擬似連演出と特定演出とが実行されないように制御される。よって、１回の変動表示の実行中に擬似連演出と特定演出とが実行されることにより、遊技者がいずれの演出に基づく指標情報が表示されているか混乱してしまうことを防止することができる。
【０２７６】
（３）  図１７に示すように、第１特定演出Ｂは、白半分星左表示画像４５ａと白半分星右表示画像４５ｂとが２つ表示されることで、第１特定演出Ａと同じ白星１つ表示画像４５が表示される。このように、第１特定演出は、複数の白半分星左表示画像４５ａと白半分星右表示画像４５ｂとが表示される演出から構成されているので、第１特定演出が実行されるときの演出が多彩になり、遊技の興趣が向上する。
【０２７７】
（４）  図１６（ｇ）〜（ｌ）に示すように、第１特定演出Ａを実行した後に、第２特定演出を実行可能である。よって、第１特定演出Ａが実行された後に第２特定演出を実行しない場合と比べて、第１特定演出Ａが実行されたときの遊技者の遊技の興趣の低下を防止することができる。
【０２７８】
（５）  図１９に示すように、第１特定演出Ａが実行されずに第２特定演出が実行された場合と、第１特定演出Ａが実行された後に第２特定演出が実行された場合とでは、第１特定演出Ａが実行された後に第２特定演出が実行された場合の方が大当りとなる割合が高いように制御される。よって、第１特定演出が実行された場合でも第２特定演出が実行されることへの期待感を持つことができ、第２特定演出が実行された場合には、大当り状態に制御されることを期待できるので、遊技の興趣が向上する。
【０２７９】
次に、以上に説明した実施の形態の変形例や特徴点等を以下に列挙する。
（１）  前述した実施の形態では、遊技機としてパチンコ機を例にしたが、前述した実施の形態に示した特定演出のような各種演出は、メダルが投入されて所定の賭け数が設定され、遊技者による操作レバーの操作に応じて複数種類の図柄を回転させ、遊技者によるストップボタンの操作に応じて表示手段における図柄を停止させたときに停止図柄の組合せが特定の図柄の組合せになると、所定数のメダルが遊技者に払出されるスロットマシン（スロット機）に適用することも可能である。たとえば、スロットマシンにおいて設けられた演出表示装置等の表示装置において、上記の実施の形態で説明したような各種演出を実行する制御を行なうようにしてもよい。
【０２８０】
（２）  前述した実施の形態では、特定演出が実行される前に特定演出が実行されることを示唆（予告）する示唆演出を設けるようにしてもよい。たとえば、特定演出が実行される前に示唆演出として、識別情報の背景画像が通状表示されている背景画像から特別な背景画像へ変化する演出が実行されるようにしてもよい。
【０２８１】
（３）  前述した実施の形態では、指標情報を「×１」等の数字で表示する例を示したが、指標情報は、数字で表示されるもの以外であってもよい。たとえば、第１の指標情報に対応したキャラクタ、第２の指標情報に対応したキャラクタを表示することで、指標情報が変化したことが分かるようにしてもよい。また、指標情報として背景を変化させることで指標情報が変化したことが分かるようにしてもよい。また、第１の指標情報に対応する音を出力し、第２の指標情報に対応する音を出力することで、指標情報が変化したことが分かるようにしてもよい。
【０２８２】
（４）  前述した実施の形態では、擬似連演出において表示される指標情報と特定演出において表示される指標情報とは同じものであった。しかし、擬似連演出と特定演出とで表示される指標情報が異なるようにしてもよい。たとえば、擬似連演出では、指標情報を「×１」等の数字で表示し、特定演出では、キャラクタを表示するようにしてもよい。
【０２８３】
（５）  前述した実施の形態では、図１６（ｂ），（ｄ）に示すように、擬似連図柄９４が仮停止した際に、指標情報が表示される場合を示した。しかし、指標情報は、擬似連図柄９４が仮停止したときではなく、図１６（ｃ），（ｅ）のように、再変動を開始したときに表示されるようにしてもよい。また、指標情報は、今回実行された擬似連の仮停止の回数を示すのではなく、次回実行される擬似連の再変動の回数（初回変動を含めた回数）を示すものであってもよい。具体的には、図１６（ｂ），（ｃ）の段階で第１の指標情報として「×２」を表示し、図１６（ｄ），（ｅ）の段階で第２の指標情報として「×３」を表示するようにしてもよい。
【０２８４】
（６）  前述した実施の形態では、図６に示すように擬似連演出において、擬似連３回のパターンが設定されていた。このような擬似連３回のパターンでは、第３の指標情報が表示される。ここで、特定演出は、図１９に示すように第３の指標情報が設定されていなかった。しかし、特定演出についても第３の指標情報および第３特定演出が設定されていてもよい。
【０２８５】
（７）  前述した実施の形態では、図２０のＳ９０１で示すように、擬似連を実行する変動パターンであるか否かを演出制御用マイクロコンピュータ１００で判定し、その判定に基づき、擬似連のパターンの場合は、擬似連回数に基づいて表示する指標情報が決定されていた。しかしながら、擬似連の変動パターンであっても特定演出を実行するか否かの判定を行なってもよい。そして、特定演出を実行すると判定した場合には、擬似連演出に代えて特定演出が実行されるようにしてもよい。また、図６に示す変動パターンに擬似連の変動パターンを設けず、演出制御用マイクロコンピュータ１００側で、擬似連演出を実行するか、特定演出を実行するかを決定するようにしてもよい。
【０２８６】
（８）  前述した実施の形態では、図２０のＳ９０１で示すように、擬似連演出が実行される場合には、特定演出が実行されないように制限がかけられていた。しかしながら、変動パターンとして擬似連演出のパターンを設けず、遊技制御用マイクロコンピュータ５６０から送信される共通の変動パターンを受信したときに、各演出パターンを演出制御用マイクロコンピュータ１００側で決定するようにしてもよい。たとえば、ある変動パターンについて演出制御用マイクロコンピュータ１００側で擬似連演出と特定演出とを別々に決定し、両方の演出が１回の変動表示の実行中に実行されると決定された場合には、どちらかの演出を実行させないように制限してもよい。また、いずれか一方の演出を実行することが決定された場合には、それ以降では、もう一方の演出の実行が決定されないように制限をかけてもよい。
【０２８７】
（９）  前述した実施の形態では、擬似連図柄を繰返し仮停止させることで有利状態となることを予告する予告演出として擬似連演出を説明した。しかし、このように、繰返し実行して有利状態となることを予告する予告演出は、擬似連演出以外であってもよい。たとえば、演出図柄の変動表示中に演出画面を別の演出画面へと切替えること（たとえば、画面が割れる表示が行なわれて新たな演出画面が表示される等）で１回の演出表示が行なわれたように見せ、図柄の変動表示を仮停止させずに、１回の繰返し予告演出が実行されるようにしてもよい。また、３つの演出図柄のうち、１つの図柄のみ（２つの図柄でもよい）を仮停止して、残り２つの図柄（残り１つの図柄でもよい）が滑る演出が１回の繰返し予告演出として実行されるようにしてもよい。
【０２８８】
（１０）  前述した実施の形態では、特定演出として星の表示が行なわれる毎に、指標情報が増加する場合を示したが、単に数字を表示するものであってもよい。たとえば、特定演出として「×１」を表示するようにしてもよい。また、特定演出として、「×０．５」を２回表示する演出を行なうことで「×１」となる演出を実行してもよい。
【０２８９】
（１１）  前述した実施の形態では、擬似連演出と特定演出とは１回の変動表示中にいずれか１つの演出のみが実行されるようになっていた。しかしながら、１回の変動表示中に擬似連演出と特定演出とが実行されるようにしてもよい。また、擬似連演出と特定演出とが１回の変動表示中に実行される場合には、擬似連演出で表示される指標表示と特定演出で表示される指標表示との合計回数が表示されるようにしてもよい。たとえば、擬似連が２回実行され、特定演出として、第１特定演出Ａと第２特定演出が実行される場合は次のように指標情報を表示するようにしてもよい。擬似連１回目の仮停止時に「×１」を指標情報として表示し、擬似連２回目の仮停止時に「×２」を指標情報として表示し、その後、第１特定演出Ａが実行されたときに「×３」を指標情報として表示し、第２特定演出が実行されたときに「×４」を指標情報として表示するようにしてもよい。また、第１特定演出Ａでは「×１」を指標情報として表示し、第２特定演出では「×２」を指標情報として表示し、擬似連演出で表示された指標情報とは、別の表示位置に特定演出の指標情報が表示されるようにしてもよい。このような場合には、擬似連演出の指標情報と特定演出の指標情報とで、色や形を変えて表示してもよい。
【０２９０】
（１２）  前述した実施の形態では、現在実行されているモードの種類に応じて、特定演出の態様を変化させるようにしてもよい。ここで、モードとは、表示されるキャラクタや背景を変化することで異なる種類の演出が行なわれる状態をいう。たとえば、第１のモードが実行されている場合には、特定演出として第１特定演出Ａが実行され、第２のモードが実行されている場合には、特定演出として第１特定演出Ｂが実行されるようにしてもよい。このようにすれば、モードによって、異なる特定演出が実行されるように設定されているので、演出を実行する際の容量を削減することができる。
【０２９１】
（１３）  前述した実施の形態では、変動時間およびリーチ演出の種類や擬似連の有無等の変動態様を示す変動パターンを演出制御用マイクロコンピュータに通知するために、変動を開始するときに１つの変動パターンコマンドを送信する例を示したが、２つ乃至それ以上のコマンドにより変動パターンを演出制御用マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御用マイクロコンピュータは２つのコマンドの組合せから導かれる変動時間に基づいて変動表示における演出制御を行なうようにすればよい。なお、遊技制御用マイクロコンピュータの方では２つのコマンドのそれぞれにより変動時間を通知し、それぞれのタイミングで実行される具体的な変動態様については演出制御用マイクロコンピュータの方で選択を行なう様にしてもよい。２つのコマンドを送る場合、同一のタイマ割込内で２つのコマンドを送信する様にしてもよく、１つ目のコマンドを送信した後、所定期間が経過してから（たとえば次のタイマ割込において）２つ目のコマンドを送信する様にしてもよい。なお、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。このように２つのコマンドにより変動パターンを演出制御用マイクロコンピュータに通知する構成においては、１つ目のコマンドを送信した後の２つ目のコマンドにおいて、入賞時演出処理による表示結果の判定結果、および、変動パターン種別のような先読み判定情報を送信し、その２つ目のコマンドを受信したことに基づいて、先読み予告の演出を実行するようにしてもよい。
【０２９２】
（１４）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０２９３】
（１５）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。このような構成の場合には、前述した実施の形態で演出制御用マイクロコンピュータ１００が行なっていた各種決定については、同様に演出制御用マイクロコンピュータ１００が行なうようにしてもよく、または、音声出力基板７０、ランプドライバ基板３５、または、音／ランプ基板に搭載したマイクロコンピュータ等の制御手段が行なうようにしてもよい。
【０２９４】
（１６）  遊技者にとって有利な遊技状態とは、大当り遊技状態、時短状態、高ベース状態、および、大当り遊技後の遊技状態が通常状態に比べて大当りとすることに決定される確率が高い状態である確変状態等、遊技者にとって通常状態よりも有利な遊技状態であればどのような遊技状態であってもよい。
【０２９５】
（１７）  前述した実施の形態では、特別可変入賞球装置２０における大入賞口内に設けられた特定領域を遊技球が通過したことが検出手段により検出されたときに、確変状態に制御される、確変判定装置タイプの確変状態制御が実行されるようにしてもよい。
【０２９６】
（１８）  前述した実施の形態では、入賞の発生に応じて遊技媒体を遊技者の手元に払い出す遊技機を説明したが、遊技媒体が封入され、入賞の発生に応じて遊技媒体を遊技者の手元に払い出すことなく遊技点（得点）を加算する封入式の遊技機を採用してもよい。封入式の遊技機には、遊技媒体の一例となる複数の玉を遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算される。また、遊技機は、発射装置および玉払出装置を備えた遊技枠に遊技球が打ち込まれる遊技領域を形成する遊技盤を取付けた構成としたが、これに限らず、発射装置は玉払出装置などの基本的な機能を共通化し、遊技の特長的構成である遊技盤のみを流通させるようにしてもよい。この場合、遊技の特長的構成であるところの遊技盤を遊技機と称する。
【０２９７】
（１９）  前述した実施の形態は、パチンコ遊技機１の動作をシミュレーションするゲーム機などの装置にも適用することができる。前述した実施の形態を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。そして、ゲームの実施形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０２９８】
（２０）  前述の実施形態では、大当り種別として、１５ラウンドの通常大当りと１５ラウンドの確変大当りとを設けた例を示した。しかし、これに限らず、たとえば、１５ラウンドの大当り、１０ラウンドの大当り、５ラウンドの大当り、および、２ラウンドの大当りを設ける場合のように、３種類以上のラウンド数の大当り種別を設けてもよい。その場合には、たとえば、大当りの種別を、賞球が得られやすい大当り種別グループ（たとえば、１５ラウンドの大当り、１０ラウンドの大当り）と、賞球が得られにくい大当り種別グループ（たとえば、５ラウンドの大当り、２ラウンドの大当り）とに分類し、第２特別図柄の方が第１特別図柄よりも、賞球が得られやすい大当り種別グループの大当り種別が選択される割合が高くなるように設定してもよい。
【０２９９】
（２１）  上記実施の形態では、「０」〜「９」を示す数字や「−」を示す記号、あるいは数字や記号に限定されない各セグメントの点灯パターン等から構成される複数種類の特別図柄を可変表示（変動表示）する例を示した。しかし、第１特別図柄表示器８ａ第２特別図柄表示器８ｂにおいて表示される可変表示結果（変動表示結果）や可変表示される特別図柄は、「０」〜「９」を示す数字や「−」を示す記号等から構成されるものに限定されない。たとえば、特別図柄の可変表示中の点灯パターンには、ＬＥＤを全て消灯したパターンが含まれてもよく、全て消灯したパターンと少なくとも一部のＬＥＤを点灯させた１つのパターン（たとえば、ハズレ図柄）とを交互に繰返すものも特別図柄の可変表示に含まれる（この場合、前記１つのパターン（たとえばハズレ図柄）が点滅して見える）。また、可変表示中に表示される特別図柄と、可変表示結果として表示される特別図柄とは、異なるものであってもよい。特別図柄の可変表示として、たとえば「−」を点滅させる表示を行ない、可変表示結果として、それ以外の特別図柄（「大当り」であれば「７」、「ハズレ」であれば「１」等）を表示することも特別図柄の可変表示に含まれる。また、一種類の飾り図柄を点滅表示又はスクロール表示すること等も飾り図柄の可変表示に含まれる。普通図柄の可変表示中の点灯パターンには、ＬＥＤを全て消灯したパターンが含まれてもよく、全て消灯したパターンと少なくとも一部のＬＥＤを点灯させた１つのパターン（たとえば、ハズレ図柄）とを交互に繰返すこと等も普通図柄の可変表示に含まれる。また、可変表示中に表示される飾り図柄や普通図柄と、可変表示結果として表示される飾り図柄や普通図柄とは、異なるものであってもよい。
【０３００】
（２２）  前述した実施の形態では、「割合（比率、確率）」として、０％を越える所定の値を具体例に挙げて説明した。しかしながら、「割合（比率、確率）」としては、０％であってもよい。たとえば、所定の遊技期間における所定の遊技状態１の発生割合と他の遊技状態２との発生割合とを比較して、「一方の発生割合が他方の発生割合よりも高い」とした場合には、一方の遊技状態の発生割合が０％の場合も含んでいる。
【０３０１】
（２３）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０３０２】
１  パチンコ遊技機、８ａ  第１特別図柄表示器、８ｂ  第２特別図柄表示器、９  演出表示装置、４３  第１の指標情報、４４  第２の指標情報、４５  白星１つ表示画像、４６  赤星１つ表示画像、９４  擬似連図柄、１００  演出制御用マイクロコンピュータ、５６０  遊技制御用マイクロコンピュータ。
【図１】
0006645803.tif 000002
【図２】
0006645803.tif 000003
【図３】
0006645803.tif 000004
【図４】
0006645803.tif 000005
【図５】
0006645803.tif 000006
【図６】
0006645803.tif 000007
【図７】
0006645803.tif 000008
【図８】
0006645803.tif 000009
【図９】
0006645803.tif 000010
【図１０】
0006645803.tif 000011
【図１１】
0006645803.tif 000012
【図１２】
0006645803.tif 000013
【図１３】
0006645803.tif 000014
【図１４】
0006645803.tif 000015
【図１５】
0006645803.tif 000016
【図１６】
0006645803.tif 000017
【図１７】
0006645803.tif 000018
【図１８】
0006645803.tif 000019
【図１９】
0006645803.tif 000020
【図２０】
0006645803.tif 000021
【図２１】
0006645803.tif 000022